(57)【要約】  基地局におけるＰＵＣＣＨの検出を単一の上り単位バンドで行うことで、基地局におけるＰＵＣＣＨの検出精度の劣化を抑えることができる端末。制御部（２０８）は、応答信号の送信に用いる単位バンドを指示する指示情報を用いて応答信号を送信する。ここで、上記複数の単位バンドには、第１の単位バンド、および、第１の単位バンドと異なる第２の単位バンドが含まれ、第１の単位バンドは第１の単位バンドおよび第２の単位バンドの双方に下りデータが同時に割り当てられる場合に応答信号の送信に用いられる単位バンドであって、上記指示情報は、少なくとも第２の単位バンドの下り回線データが割り当てられる場合に、第２の単位バンドを用いて通知され、第１の単位バンドおよび第２の単位バンドの双方に下り回線データが同時に割り当てられる場合、指示情報に示される単位バンドは、第１の単位バンドである。
2013179540.tif 000002
【特許請求の範囲】
【請求項１】
複数の単位バンドを用いて基地局装置と通信する端末装置であって、
前記複数の単位バンドでそれぞれ送信される下りデータの誤り検出結果を用いて応答信号を生成する生成手段と、
前記応答信号の送信に用いる単位バンドを指示する指示情報に示される単位バンドを用いて、前記応答信号を送信する制御手段と、
を有し、
前記複数の単位バンドには、第１の単位バンド、および、前記第１の単位バンドと異なる第２の単位バンドが含まれ、前記第１の単位バンドは、前記第１の単位バンドおよび前記第２の単位バンドの双方に下りデータが同時に割り当てられる場合に前記応答信号の送信に用いられる単位バンドであって、
前記指示情報は、少なくとも前記第２の単位バンドの下りデータが割り当てられる場合に、前記第２の単位バンドを用いて前記基地局装置から通知され、
前記第１の単位バンドおよび前記第２の単位バンドの双方に下りデータが同時に割り当てられる場合、前記指示情報に示される単位バンドは、前記第１の単位バンドである、
端末装置。
【請求項２】
前記第２の単位バンドの下りデータのみが割り当てられる場合、前記指示情報に示される単位バンドは、前記第２の単位バンドである、
請求項１記載の端末装置。
【請求項３】
前記制御手段は、前記指示情報が前記第１の単位バンドを示す場合、第１の送信方法を用いて前記応答信号を送信し、前記指示情報が前記第２の単位バンドを示す場合、前記第１の送信方法とは異なる第２の送信方法を用いて前記応答信号を送信する、
請求項２記載の端末装置。
【請求項４】
前記生成手段は、前記指示情報が前記第２の単位バンドを示す場合、前記複数の単位バンドの総数未満の単位バンドの下りデータに対する誤り検出結果を用いて前記応答信号を生成する、
請求項２記載の端末装置。
【請求項５】
前記生成手段は、前記指示情報が前記第１の単位バンドを示す場合、前記第１の単位バンドおよび前記第２の単位バンドの双方の下りデータに対する応答信号を生成し、前記指示情報が前記第２の単位バンドを示す場合、前記第２の単位バンドの下りデータのみに対する応答信号を生成する、
請求項２記載の端末装置。
【請求項６】
前記第２の単位バンドの下りデータのみが割り当てられる場合、前記指示情報に示される単位バンドは、前記第１の単位バンドまたは前記第２の単位バンドのいずれかである、
請求項１記載の端末装置。
【請求項７】
前記制御手段は、少なくとも前記第１の単位バンドの下りデータに対する下り割当制御情報を受信した場合、前記第１の単位バンドで前記応答信号を送信し、前記第２の単位バンドの下りデータに対する下り割当制御情報のみを受信した場合、前記指示情報に示される単位バンドを用いて前記応答信号を送信する、
請求項１記載の端末装置。
【請求項８】
前記複数の単位バンドのうち、前記第１の単位バンドと、複数の前記第２の単位バンドのうちの第３の単位バンドとが、前記応答信号の送信に用いられる単位バンドとして予め設定され、
前記指示情報は、前記第３の単位バンドを含む所定数の前記第２の単位バンドで送信され、
前記所定数の第２の単位バンドの少なくとも１つの単位バンドの下りデータのみが割り当てられる場合、前記指示情報に示される単位バンドは、前記第３の単位バンドである、
請求項１記載の端末装置。
【請求項９】
前記制御手段は、
前記指示情報に示される単位バンドが前記第１の単位バンドである場合、前記複数の単位バンドの個数に応じた送信方法を用いて前記応答信号を送信し、
前記指示情報に示される単位バンドが前記第３の単位バンドである場合、前記所定数に応じた送信方法を用いて前記応答信号を送信する、
請求項８記載の端末装置。
【請求項１０】
複数の単位バンドを用いて端末装置と通信する基地局装置であって、
前記複数の単位バンドで下りデータをそれぞれ送信する送信手段と、
下りデータに対する応答信号の送信に用いる単位バンドを指示する指示情報に示される単位バンドにおいて、前記応答信号を受信する受信手段と、
を有し、
前記複数の単位バンドには、第１の単位バンド、および、前記第１の単位バンド以外の第２の単位バンドが含まれ、前記第１の単位バンドは、前記第１の単位バンドおよび前記第２の単位バンドの双方に下りデータが同時に割り当てられる場合に前記応答信号の送信に用いられる単位バンドであって、
前記指示情報は、少なくとも前記第２の単位バンドの下りデータが割り当てられる場合に、前記第２の単位バンドを用いて前記端末装置へ通知され、
前記第１の単位バンドおよび前記第２の単位バンドの双方に下りデータが同時に割り当てられる場合、前記指示情報に示される単位バンドは、前記第１の単位バンドである、
基地局装置。
【請求項１１】
複数の単位バンドを用いて基地局装置と通信する端末装置における送信方法であって、
前記複数の単位バンドでそれぞれ送信される下りデータの誤り検出結果を用いて応答信号を生成し、
前記応答信号の送信に用いる単位バンドを指示する指示情報に示される単位バンドを用いて、前記応答信号を送信し、
前記複数の単位バンドには、第１の単位バンド、および、前記第１の単位バンドと異なる第２の単位バンドが含まれ、前記第１の単位バンドは、前記第１の単位バンドおよび前記第２の単位バンドの双方に下りデータが同時に割り当てられる場合に前記応答信号の送信に用いられる単位バンドであって、
前記指示情報は、少なくとも前記第２の単位バンドの下りデータが割り当てられる場合に、前記第２の単位バンドを用いて前記基地局装置から通知され、
前記第１の単位バンドおよび前記第２の単位バンドの双方に下りデータが同時に割り当てられる場合、前記指示情報に示される単位バンドは、前記第１の単位バンドである、
送信方法。
【請求項１２】
複数の単位バンドを用いて端末装置と通信する基地局装置における受信方法であって、
前記複数の単位バンドで下りデータをそれぞれ送信する送信手段と、
下りデータに対する応答信号の送信に用いる単位バンドを指示する指示情報に示される単位バンドにおいて、前記応答信号を受信する受信手段と、
を有し、
前記複数の単位バンドには、第１の単位バンド、および、前記第１の単位バンド以外の第２の単位バンドが含まれ、前記第１の単位バンドは、前記第１の単位バンドおよび前記第２の単位バンドの双方に下りデータが同時に割り当てられる場合に前記応答信号の送信に用いられる単位バンドであって、
前記指示情報は、少なくとも前記第２の単位バンドの下りデータが割り当てられる場合に、前記第２の単位バンドを用いて前記端末装置へ送信され、
前記第１の単位バンドおよび前記第２の単位バンドの双方に下りデータが同時に割り当てられる場合、前記指示情報に示される単位バンドは、前記第１の単位バンドである、
受信方法。
【発明の詳細な説明】
【技術分野】
【０００１】
本発明は、端末装置、基地局装置、送信方法及び受信方法に関する。
【背景技術】
【０００２】
３ＧＰＰ ＬＴＥでは、下り回線の通信方式としてＯＦＤＭＡ（Orthogonal Frequency Division Multiple Access）が採用されている。３ＧＰＰ ＬＴＥが適用された無線通信システムでは、基地局が予め定められた通信リソースを用いて同期信号（Synchronization Channel：ＳＣＨ）及び報知信号（Broadcast Channel：ＢＣＨ）を送信する。そして、端末は、まず、ＳＣＨを捕まえることによって基地局との同期を確保する。その後、端末は、ＢＣＨ情報を読むことにより基地局独自のパラメータ（例えば、周波数帯域幅など）を取得する（非特許文献１、２、３参照）。【０００３】
また、端末は、基地局独自のパラメータの取得が完了した後、基地局に対して接続要求を行うことにより、基地局との通信を確立する。基地局は、通信が確立された端末に対して、必要に応じてＰＤＣＣＨ（Physical Downlink Control Channel）等の下り回線制御チャネルを介して制御情報を送信する。【０００４】
そして、端末は、受信したＰＤＣＣＨ信号に含まれる複数の制御情報（下り割当制御情報：DL Assignment（Downlink Control Information：ＤＣＩと呼ばれることもある））をそれぞれ「ブラインド判定」する。すなわち、制御情報は、ＣＲＣ（Cyclic Redundancy Check）部分を含み、このＣＲＣ部分は、基地局において、送信対象端末の端末ＩＤによってマスクされる。従って、端末は、受信した制御情報のＣＲＣ部分を自機の端末ＩＤでデマスクしてみるまでは、自機宛の制御情報であるか否かを判定できない。このブラインド判定では、デマスクした結果、ＣＲＣ演算がＯＫとなれば、その制御情報が自機宛であると判定される。【０００５】
また、３ＧＰＰ ＬＴＥでは、基地局から端末への下り回線データに対してＡＲＱ（Automatic Repeat Request）が適用される。つまり、端末は下り回線データの誤り検出結果を示す応答信号を基地局へフィードバックする。端末は下り回線データに対しＣＲＣを行って、ＣＲＣ＝ＯＫ（誤り無し）であればＡＣＫ（Acknowledgment）を、ＣＲＣ＝ＮＧ（誤り有り）であればＮＡＣＫ（Negative Acknowledgment）を応答信号として基地局へフィードバックする。この応答信号(つまり、ＡＣＫ／ＮＡＣＫ信号。以下、単に「Ａ／Ｎ」と表記することもある)のフィードバックには、ＰＵＣＣＨ（Physical Uplink Control Channel）等の上り回線制御チャネルが用いられる。【０００６】
ここで、基地局から送信される上記制御情報には、基地局が端末に対して割り当てたリソース情報等を含むリソース割当情報が含まれる。この制御情報の送信には、前述の通りＰＤＣＣＨが用いられる。このＰＤＣＣＨは、１つ又は複数のＬ１／Ｌ２ＣＣＨ（L1/L2 Control Channel）から構成される。各Ｌ１／Ｌ２ＣＣＨは、１つ又は複数のＣＣＥ（Control Channel Element）から構成される。すなわち、ＣＣＥは、制御情報をＰＤＣＣＨにマッピングするときの基本単位である。また、１つのＬ１／Ｌ２ＣＣＨが複数（２，４，８個）のＣＣＥから構成される場合には、そのＬ１／Ｌ２ＣＣＨには偶数のインデックスを持つＣＣＥを起点とする連続する複数のＣＣＥが割り当てられる。基地局は、リソース割当対象端末に対する制御情報の通知に必要なＣＣＥ数に従って、そのリソース割当対象端末に対してＬ１／Ｌ２ＣＣＨを割り当てる。そして、基地局は、このＬ１／Ｌ２ＣＣＨのＣＣＥに対応する物理リソースにマッピングして制御情報を送信する。【０００７】
また、ここで、各ＣＣＥは、ＰＵＣＣＨの構成リソース（以下、ＰＵＣＣＨリソースと呼ぶことがある）と１対１に対応付けられている。従って、Ｌ１／Ｌ２ＣＣＨを受信した端末は、このＬ１／Ｌ２ＣＣＨを構成するＣＣＥに対応するＰＵＣＣＨの構成リソースを特定し、このリソースを用いて応答信号を基地局へ送信する。ただし、Ｌ１／Ｌ２ＣＣＨが連続する複数のＣＣＥを占有する場合には、端末は、複数のＣＣＥにそれぞれ対応する複数のＰＵＣＣＨ構成リソースのうち一番インデックスが小さいＣＣＥに対応するＰＵＣＣＨ構成リソース（すなわち、偶数番号のＣＣＥインデックスを持つＣＣＥに対応付けられたＰＵＣＣＨ構成リソース）を利用して、応答信号を基地局へ送信する。こうして下り回線の通信リソースが効率良く使用される。【０００８】
複数の端末から送信される複数の応答信号は、図１に示すように、時間軸上でZero Auto-correlation特性を持つＺＡＣ（Zero Auto-correlation）系列、ウォルシュ（Walsh）系列、及び、ＤＦＴ（Discrete Fourier Transform）系列によって拡散され、ＰＵＣＣＨ内でコード多重されている。図１において（Ｗ０,Ｗ１,Ｗ２,Ｗ３）は系列長４のウォルシュ系列を表し、（Ｆ０,Ｆ１,Ｆ２）は系列長３のＤＦＴ系列を表す。図１に示すように、端末では、ＡＣＫ又はＮＡＣＫの応答信号が、まず周波数軸上でＺＡＣ系列（系列長１２）によって１ＳＣ−ＦＤＭＡシンボルに対応する周波数成分へ１次拡散される。すなわち、系列長１２のＺＡＣ系列に対して複素数で表される応答信号成分が乗算される。次いで１次拡散後の応答信号及び参照信号としてのＺＡＣ系列がウォルシュ系列（系列長４：Ｗ０〜Ｗ３。ウォルシュ符号系列（Walsh Code Sequence）と呼ばれることもある）、ＤＦＴ系列（系列長３：Ｆ０〜Ｆ２）それぞれに対応させられて２次拡散される。すなわち、系列長１２の信号（１次拡散後の応答信号、又は、参照信号としてのＺＡＣ系列（Reference Signal Sequence））のそれぞれの成分に対して、直交符号系列（Orthogonal sequence：ウォルシュ系列又はＤＦＴ系列）の各成分が乗算される。さらに、２次拡散された信号が、ＩＦＦＴ（Inverse Fast Fourier Transform）によって時間軸上の系列長１２の信号に変換される。そして、ＩＦＦＴ後の信号それぞれに対しＣＰが付加され、７つのＳＣ−ＦＤＭＡシンボルからなる１スロットの信号が形成される。【０００９】
異なる端末からの応答信号同士は、異なる巡回シフト量（Cyclic Shift Index）に対応するＺＡＣ系列、又は、異なる系列番号（Orthogonal Cover Index : OC index）に対応する直交符号系列を用いて拡散されている。直交符号系列は、ウォルシュ系列とＤＦＴ系列との組である。また、直交符号系列はブロックワイズ拡散コード系列（Block-wise spreading code）と称されることもある。従って、基地局は、従来の逆拡散及び相関処理を用いることにより、これらコード多重された複数の応答信号を分離することができる（非特許文献４参照）。【００１０】
ただし、各端末が各サブフレームにおいて自分宛の下り割当制御信号をブラインド判定するので、端末側では、必ずしも下り割当制御信号の受信が成功するとは限らない。端末が或る下り単位バンドにおける自分宛の下り割当制御信号の受信に失敗した場合、端末は、当該下り単位バンドにおいて自分宛の下り回線データが存在するか否かさえも知り得ない。従って、或る下り単位バンドにおける下り割当制御信号の受信に失敗した場合、端末は、当該下り単位バンドにおける下り回線データに対する応答信号も生成しない。このエラーケースは、端末側で応答信号の送信が行われないという意味での、応答信号のＤＴＸ（DTX (Discontinuous transmission) of ACK/NACK signals）として定義されている。【００１１】
ところで、３ＧＰＰ ＬＴＥシステム（以下、「ＬＴＥシステム」と呼ばれることがある）では、基地局は上り回線データ及び下り回線データに対してそれぞれ独立にリソース割当を行う。そのため、ＬＴＥシステムでは、上り回線において、端末（つまり、ＬＴＥシステム対応の端末（以下、「ＬＴＥ端末」という））が、下り回線データに対する応答信号と、上り回線データとを同時に送信しなければならない状況が発生する。この状況では、端末からの応答信号及び上り回線データは、時間多重（Time Division Multiplexing：ＴＤＭ）を用いて送信される。このように、ＴＤＭを用いて応答信号と上り回線データとを同時に送信することで、端末の送信波形のシングルキャリア特性（Single carrier properties）を維持している。【００１２】
また、図２に示すように、時間多重（ＴＤＭ）では、端末から送信される応答信号（「Ａ／Ｎ」）は、上り回線データ向けに割り当てられたリソース（ＰＵＳＣＨ（Physical Uplink Shared CHannel）リソース）の一部（参照信号（ＲＳ（Reference Signal））がマッピングされるＳＣ−ＦＤＭＡシンボルに隣接するＳＣ−ＦＤＭＡシンボルの一部）を占有して基地局に送信される。ただし、図２における縦軸の「Subcarrier」は「Virtual subcarrier」、又は「Time contiguous signal」と呼ばれることもあり、ＳＣ−ＦＤＭＡ送信機においてＤＦＴ（Discrete Fourier Transform）回路に纏めて入力される「時間的に連続する信号」を便宜上「subcarrier」として表したものである。すなわち、ＰＵＳＣＨリソースでは、応答信号によって、上り回線データのうちの任意のデータがパンクチャ（puncture）される。このため、符号化後の上り回線データの任意のビットがパンクチャされることで、上り回線データの品質（例えば、符号化利得）が大幅に劣化する。そのため、基地局は、例えば、端末に対して非常に低い符号化率を指示したり、非常に大きな送信電力を指示したりすることで、パンクチャによる上り回線データの品質劣化を補償する。【００１３】
また、３ＧＰＰ ＬＴＥよりも更なる通信の高速化を実現する３ＧＰＰ ＬＴＥ−Ａｄｖａｎｃｅｄの標準化が行われている。３ＧＰＰ ＬＴＥ−Ａｄｖａｎｃｅｄシステム（以下、「ＬＴＥ−Ａシステム」と呼ばれることがある）は、ＬＴＥシステムを踏襲する。３ＧＰＰ ＬＴＥ−Ａｄｖａｎｃｅｄでは、最大１Ｇｂｐｓ以上の下り伝送速度を実現するために、４０ＭＨｚ以上の広帯域周波数で通信可能な基地局及び端末が導入される。【００１４】
ＬＴＥ−Ａシステムにおいては、ＬＴＥシステムにおける伝送速度の数倍もの超高速伝送速度による通信、及び、ＬＴＥシステムに対する後方互換性（バックワードコンパチビリティー：Backward Compatibility）を同時に実現するために、ＬＴＥ−Ａシステム向けの帯域が、ＬＴＥシステムのサポート帯域幅である２０ＭＨｚ以下の「単位バンド」に区切られる。すなわち、「単位バンド」は、ここでは、最大２０ＭＨｚの幅を持つ帯域であって、通信帯域の基本単位として定義される。ＦＤＤ（Frequency Division Duplex）システムでは、さらに、下り回線における「単位バンド」（以下、「下り単位バンド」という）は基地局から報知されるＢＣＨの中の下り周波数帯域情報によって区切られた帯域、又は、下り制御チャネル（ＰＤＣＣＨ）が周波数領域に分散配置される場合の分散幅によって定義される帯域として定義されることもある。また、上り回線における「単位バンド」（以下、「上り単位バンド」という）は、基地局から報知されるＢＣＨの中の上り周波数帯域情報によって区切られた帯域、又は、中心付近にＰＵＳＣＨ（Physical Uplink Shared Channel）領域を含み、両端部にＬＴＥ向けのＰＵＣＣＨを含む２０ＭＨｚ以下の通信帯域の基本単位として定義されることもある。なお、「単位バンド」は、３ＧＰＰ ＬＴＥ−Ａｄｖａｎｃｅｄにおいて、英語でＣｏｍｐｏｎｅｎｔ Ｃａｒｒｉｅｒ（ｓ）又はＣｅｌｌと表記されることがある。また、略称としてＣＣ（ｓ）と表記されることもある。【００１５】
ＬＴＥ−Ａシステムでは、単位バンドを幾つか束ねた帯域を用いた通信、所謂Carrier aggregation(CA)がサポートされる。なお、UL-DL Configurationは、単位バンド毎に設定可能であるが、ＬＴＥ−Ａシステム対応の端末（以下、「ＬＴＥ−Ａ端末」）は、複数の単位バンド間で同じUL-DL Configurationが設定されることを想定して設計されている。【００１６】
図３は、個別の端末に適用される非対称のCarrier aggregation及びその制御シーケンスの説明に供する図である。【００１７】
図３Ｂに示すように、端末１に対しては、２つの下り単位バンドと左側の１つの上り単位バンドを用いてCarrier aggregationを行うような設定（Configuration）が為される。一方、端末２に対しては、端末１と同一の２つの下り単位バンドを用いるような設定が為されるにも拘らず、上り通信では右側の上り単位バンドを利用するような設定が為される。【００１８】
そして、端末１に着目すると、ＬＴＥ−Ａシステムを構成する基地局（つまり、ＬＴＥ−Ａシステム対応の基地局（以下、「ＬＴＥ−Ａ基地局」という））とＬＴＥ−Ａ端末との間では、図３Ａに示すシーケンス図に従って、信号の送受信が行われる。図３Ａに示すように、（１）端末１は、基地局との通信開始時に、左側の下り単位バンドと同期を取り、左側の下り単位バンドとペアになっている上り単位バンドの情報をＳＩＢ１（System Information Block Type 1）と呼ばれる報知信号から読み取る。（２）端末１は、この上り単位バンドを用いて、例えば、接続要求を基地局に送信することによって基地局との通信を開始する。（３）端末に対し複数の下り単位バンドを割り当てる必要があると判断した場合には、基地局は、端末に下り単位バンドの追加を指示する。ただし、この場合、上り単位バンド数は増えず、個別の端末である端末１において非対称Carrier aggregationが開始される。【００１９】
また、前述のCarrier aggregationが適用されるＬＴＥ−Ａでは、端末が一度に複数の下り単位バンドにおいて複数の下り回線データを受信することがある。ＬＴＥ−Ａでは、この複数の下り回線データに対する複数の応答信号の送信方法として、Channel Selection（Multiplexingとも呼ぶ）、Bundling、及び、ＤＦＴ−Ｓ−ＯＦＤＭ（Discrete Fourier Transform spread Orthogonal Frequency Division Multiplexing）フォーマットがある。Channel Selectionでは、端末は、複数の下り回線データに関する誤り検出結果のパターンに応じて、応答信号に用いるシンボル点だけでなく、応答信号をマッピングするリソースも変化させる。これに対し、Bundlingでは、端末は、複数の下り回線データに関する誤り検出結果より生成されたＡＣＫ又はＮＡＣＫ信号をBundlingして（すなわち、ＡＣＫ＝１、ＮＡＣＫ＝０とし、複数の下り回線データに関する誤り検出結果の論理積（Logical AND)を計算して）、予め決められた一つのリソースを用いて応答信号を送信する。また、ＤＦＴ−Ｓ−ＯＦＤＭフォーマットを用いた送信時には、端末は、複数の下り回線データに対する応答信号を纏めて符号化（Joint coding）し、当該フォーマットを用いてその符号化データを送信する（非特許文献５参照）。例えば、端末は、誤り検出結果のパターンのビット数に応じて、Channel Selection、Bundling、又は、ＤＦＴ−Ｓ−ＯＦＤＭのいずれかによる応答信号（ＡＣＫ／ＮＡＣＫ）のフィードバックを行ってもよい。又は、基地局が上記応答信号の送信方法を予め設定してもよい。【００２０】
Channel Selectionは、図４に示すように、複数の下り単位バンド（最大２つの下り単位バンド）で受信した、下り単位バンド毎の複数の下り回線データに対する誤り検出結果がそれぞれＡＣＫかＮＡＣＫかに基づいて、応答信号の位相点（すなわち、Constellation point）だけではなく、応答信号の送信に用いるリソース（以下、「ＰＵＣＣＨリソース」と表記することもある）も変化させる手法である。これに対し、Bundlingは、複数の下り回線データに対するＡＣＫ／ＮＡＣＫ信号を一つに束ねて、予め決められた一つのリソースから送信する手法である（非特許文献６、７参照）。以下、複数の下り回線データに対するＡＣＫ／ＮＡＣＫ信号を一つに束ねた信号を束ＡＣＫ／ＮＡＣＫ信号と呼ぶことがある。【００２１】
ここで、端末がＰＤＣＣＨを介して下り割当制御情報を受信し、下り回線データを受信した場合における上り回線での応答信号の送信方法として、以下の２つの方法が考えられる。【００２２】
一つは、ＰＤＣＣＨが占有しているＣＣＥ（Control Channel Element）と１対１に関連付けられたＰＵＣＣＨリソースを用いて応答信号を送信する方法（Implicit signalling）である（方法１）。つまり、基地局配下の端末に向けたＤＣＩをＰＤＣＣＨ領域に配置する場合、各ＰＤＣＣＨは、１つ又は連続する複数のＣＣＥで構成されるリソースを占有する。また、ＰＤＣＣＨが占有するＣＣＥ数（ＣＣＥ連結数：CCE aggregation level）としては、例えば、割当制御情報の情報ビット数又は端末の伝搬路状態に応じて、１，２，４，８の中の１つが選択される。【００２３】
もう一つは、基地局からＰＵＣＣＨ向けのリソースを端末に対して予め通知しておく方法（Explicit signalling）である（方法２）。つまり、方法２では、端末は、基地局から予め通知されたＰＵＣＣＨリソースを用いて応答信号を送信する。【００２４】
また、図４に示すように、端末は、２つの単位バンドのうち、１つの単位バンドを用いて、応答信号を送信する。このような応答信号を送信する単位バンドは、ＰＣＣ（Primary Component Carrier）又はＰＣｅｌｌ（Primary Cell）と呼ばれる。また、それ以外の単位バンドは、ＳＣＣ（Secondary Component Carrier）又はＳＣｅｌｌ（Secondary Cell）と呼ばれる。例えば、ＰＣＣ（ＰＣｅｌｌ）は、応答信号を送信する単位バンドに関する報知情報（例えば、ＳＩＢ１（System Information Block type 1））を送信している単位バンドである。【００２５】
なお、方法２では、複数の端末間で共通のＰＵＣＣＨ向けのリソース（例えば４つのＰＵＣＣＨ向けのリソース）を、基地局から端末に対して予め通知してもよい。例えば、端末は、ＳＣｅｌｌ内のＤＣＩに含まれる２ビットのＴＰＣ（Transmit Power Control）コマンド（送信電力制御命令）に基づいて、実際に用いるＰＵＣＣＨ向けのリソースを１つ選択する方法を採ってもよい。その際、当該ＴＰＣコマンドは、ＡＲＩ（Ack/nack Resource Indicator）とも呼ばれる。これにより、Explicit signalling時に、或るサブフレームにおいて、或る端末がexplicit signallingされたＰＵＣＣＨ向けのリソースを使い、別のサブフレームでは、別の端末が、同一のexplicit signallingされたＰＵＣＣＨ向けのリソースを使うことができるようになる。【００２６】
また、Channel selectionでは、ＰＣＣ（ＰＣｅｌｌ）内のＰＤＳＣＨを指示するＰＤＣＣＨが占有している、ＣＣＥの先頭ＣＣＥインデックスに１対１に関連付けられて、上り単位バンド内のＰＵＣＣＨリソース（図４ではＰＵＣＣＨ領域１内のＰＵＣＣＨリソース）が割り当てられる（Implicit signalling）。【００２７】
ここで、上記した非対称のCarrier aggregationが端末に適用される場合のChannel SelectionによるＡＲＱ制御について、図４を援用して説明する。【００２８】
例えば、図４では、端末１に対して、単位バンド１（ＰＣｅｌｌ）、単位バンド２（ＳＣｅｌｌ）から成る単位バンドグループ（英語で「Component carrier set」と表記されることがある）が設定される。この場合には、単位バンド１，２のそれぞれのＰＤＣＣＨを介して下りリソース割当情報が基地局から端末１へ送信された後に、その下りリソース割当情報に対応するリソースで下り回線データが送信される。【００２９】
また、Channel selectionでは、単位バンド１（ＰＣｅｌｌ）における複数の下りデータに対する誤り検出結果と、単位バンド２（ＳＣｅｌｌ）における複数の下りデータに対する誤り検出結果とを表す応答信号が、ＰＵＣＣＨ領域１内又はＰＵＣＣＨ領域２内に含まれるＰＵＣＣＨリソースにマッピングされる。また、端末は、その応答信号として、２種類の位相点（ＢＰＳＫ（Binary Phase Shift Keying）マッピング）又は４種類の位相点（ＱＰＳＫ（Quadrature Phase Shift Keying）マッピング）のいずれかを用いる。すなわち、Channel selectionでは、ＰＵＣＣＨリソースと位相点との組み合わせにより、単位バンド１（ＰＣｅｌｌ）における複数の下りデータに対する誤り検出結果、及び、単位バンド２（ＳＣｅｌｌ）における複数の下りデータに対する誤り検出結果のパターンを表すことができる。【００３０】
一般に、ＰＣｅｌｌおよびＳＣｅｌｌを端末に設定する場合、端末のモビリティを確保するために、カバレッジエリアが広い基地局によって用いられる帯域（ＣＣ）をＰＣｅｌｌとし、カバレッジエリアが狭い基地局によって用いられる帯域（ＣＣ）をＳＣｅｌｌとする。また、ＬＴＥ−Ａｄｖａｎｃｅｄでは、カバレッジエリアの広いマクロセル（マクロｅＮＢ）同士のCarrier Aggregationが想定されている。そのため、ある端末にとってのＳＣｅｌｌが、別の端末ではＰＣｅｌｌとして運用できるため、各端末においてＰＵＣＣＨを常にＰＣｅｌｌで送信したとしても、マクロセル間でＰＵＣＣＨオーバーヘッドのバランスをとることができた。【００３１】
さらに、ＬＴＥ−Ａｄｖａｎｃｅｄでは、図５に示すように、マクロｅＮＢがカバーするカバレッジエリアの大きいマクロセルと、ピコｅＮＢがカバーするカバレッジエリアの小さいピコセルとを合わせたＨｅｔＮｅｔ（Heterogeneous Network）環境におけるCarrier Aggregationが想定される。この場合は、多くの端末において、カバレッジの広いマクロセルによって用いられる帯域（ＣＣ）をＰＣｅｌｌとし、カバレッジの狭いピコセルによって用いられる帯域（ＣＣ）をＳＣｅｌｌとして運用される。すなわち、図５に示すマクロセルをＰＣｅｌｌとして運用する端末が多くなるため、端末数の増加または端末における下りデータ通信の増加に伴って、マクロセルにおけるＰＵＣＣＨオーバーヘッドが大きくなることが懸念される。また、ＨｅｔＮｅｔ環境では、一般に端末とマクロｅＮＢとの間の距離よりも、端末とピコｅＮＢとの間の距離の方が小さい。したがって、端末との距離が近いピコｅＮＢにＰＵＣＣＨを送信する方が、端末における送信電力の低減および他端末に与える干渉の低減の点で有利である。【００３２】
以上を鑑みると、ＨｅｔＮｅｔ環境のCarrier Aggregationにおいて、ＰＵＣＣＨ送信をＰＣｅｌｌではなく、ＳＣｅｌｌで行う必要性が生じる可能性が高い。【００３３】
ＰＵＣＣＨ送信をＳＣｅｌｌで行うためには、Carrier Aggregationが設定されていることが前提になるため、端末は、まずはＰＣｅｌｌで接続し（そのためＰＣｅｌｌでＰＵＣＣＨ送信し）、基地局からの指示に基づいて、ＰＵＣＣＨが送信されるＣＣ（ＰＵＣＣＨ送信セル）をＰＣｅｌｌからＳＣｅｌｌに切り替える動作を行うことが想定される。【００３４】
ＰＵＣＣＨ送信セル切替方法としては、２つの方法が考えられる。１つは、設定ベースの方法、もう１つは割当ベースの方法である。【００３５】
設定ベースの方法は、基地局によるＲＲＣシグナリングによりＰＵＣＣＨ送信セルを切り替える方法である。【００３６】
割当ベースの方法は、基地局が下りデータチャネル（ＰＤＳＣＨ）の割当を行うセルの組合せに応じてＰＵＣＣＨ送信セルを切り替える方法である。そのため、ＰＵＣＣＨ送信セルはサブフレーム単位で動的に異なる。例えば、ＰＣｅｌｌにおけるＰＤＳＣＨのみ割当時は、端末のモビリティ確保のためにＰＣｅｌｌでＰＵＣＣＨを送信する。一方、ＳＣｅｌｌにおけるＰＤＳＣＨのみ割当時は、ＰＣｅｌｌにおけるＰＵＣＣＨオーバーヘッド低減、ＰＵＣＣＨ送信電力低減および干渉低減のためにＳＣｅｌｌでＰＵＣＣＨを送信する。ＰＣｅｌｌとＳＣｅｌｌとで同時にＰＤＳＣＨを割り当てる時は、目的に応じてＰＣｅｌｌまたはＳＣｅｌｌでＰＵＣＣＨを送信する。
【先行技術文献】
【非特許文献】
【００３７】
【非特許文献１】3GPP TS 36.211 V10.4.0, “Physical Channels and Modulation (Release 10),” December 2011
【非特許文献２】3GPP TS 36.212 V10.5.0, “Multiplexing and channel coding (Release 10),” March 2012
【非特許文献３】3GPP TS 36.213 V10.5.0, “Physical layer procedures (Release 10),” March 2012
【非特許文献４】Seigo Nakao, Tomofumi Takata, Daichi Imamura, and Katsuhiko Hiramatsu, “Performance enhancement of E-UTRA uplink control channel in fast fading environments,”Proceeding of IEEE VTC 2009 spring, April. 2009
【非特許文献５】Ericsson and ST-Ericsson, “A/N transmission in the uplink for carrier aggregation,” R1-100909, 3GPP TSG-RAN WG1 #60, Feb. 2010
【非特許文献６】ZTE, 3GPP RAN1 meeting #57, R1-091702, “Uplink Control Channel Design for LTE-Advanced,” May 2009
【非特許文献７】Panasonic, 3GPP RAN1 meeting #57, R1-091744, “UL ACK/NACK transmission on PUCCH for Carrier aggregation,” May 2009
【発明の概要】
【発明が解決しようとする課題】
【００３８】
前述のとおり、割当ベースのＰＵＣＣＨ送信セル切替方法では、基地局が下りデータチャネル（ＰＤＳＣＨ）の割当を行うセル（ＣＣ）の組合せに応じてＰＵＣＣＨ送信セルを切り替える。しかし、たとえ基地局があるセルのＰＤＳＣＨ割当を行ったとしても、端末がそのＰＤＳＣＨ割当を指示するＰＤＣＣＨ（DL assignment）を受信失敗する場合がある。この場合、基地局がＰＵＣＣＨ受信を期待するセルと、端末が実際にＰＵＣＣＨ送信を行うセルとが異なることが懸念される。【００３９】
図６は、基地局が、ＰＣｅｌｌのＰＤＳＣＨのみ割当時にはＰＣｅｌｌでのＰＵＣＣＨ受信を期待し、ＳＣｅｌｌのＰＤＳＣＨのみ割当時には、ＳＣｅｌｌでのＰＵＣＣＨ受信を期待し、ＰＣｅｌｌとＳＣｅｌｌとで同時にＰＤＳＣＨを割り当てる時には、端末でのモビリティ確保を優先してＰＣｅｌｌでのＰＵＣＣＨ受信を期待する場合の例である。【００４０】
基地局がＰＣｅｌｌとＳＣｅｌｌとで同時にＰＤＳＣＨを割り当てた場合に端末がＰＣｅｌｌのＰＤＳＣＨ割当を指示するＰＤＣＣＨを受信失敗すると、端末は、ＳＣｅｌｌのＰＤＳＣＨのみが割り当てられたものと判断して、ＳＣｅｌｌでＰＵＣＣＨ送信を行う。【００４１】
したがって、基地局がＰＣｅｌｌとＳＣｅｌｌとで同時にＰＤＳＣＨを割り当てる場合、基地局は、端末でのＰＤＣＣＨ受信失敗に備えて、ＰＣｅｌｌおよびＳＣｅｌｌの双方のＰＵＣＣＨを検出して、ＰＵＣＣＨ受信電力の比較により、いずれのセル（ＣＣ）において端末が誤り検出結果を送信したのかを検出する必要がある。【００４２】
ところが、ＰＣｅｌｌとＳＣｅｌｌとでは通信経路（チャネル環境）が異なるため、チャネルの状態も異なる。よって、仮に、ＰＣｅｌｌおよびＳＣｅｌｌの双方のセルで適切に送信電力制御が行われていたとしても、チャネル状態の変動によって、ＰＣｅｌｌとＳＣｅｌｌとの間のＰＵＣＣＨ受信品質が異なってしまう。その結果、基地局ではＰＵＣＣＨ受信電力の比較による検出が正しく行われず、誤り検出結果（ＡＣＫ／ＮＡＣＫ）を正しく検出できなくなってしまう。【００４３】
本発明の目的は、基地局におけるＰＵＣＣＨの検出精度の劣化を抑えることができる端末装置、基地局装置、送信方法及び受信方法を提供することである。
【課題を解決するための手段】
【００４４】
本発明の一態様に係る端末は、複数の単位バンドを用いて基地局装置と通信する端末装置であって、前記複数の単位バンドでそれぞれ送信される下りデータの誤り検出結果を用いて応答信号を生成する生成手段と、前記応答信号の送信に用いる単位バンドを指示する指示情報に示される単位バンドを用いて、前記応答信号を送信する制御手段と、を有し、前記複数の単位バンドには、第１の単位バンド、および、前記第１の単位バンドと異なる第２の単位バンドが含まれ、前記第１の単位バンドは、前記第１の単位バンドおよび前記第２の単位バンドの双方に下りデータが同時に割り当てられる場合に前記応答信号の送信に用いられる単位バンドであって、前記指示情報は、少なくとも前記第２の単位バンドの下りデータが割り当てられる場合に、前記第２の単位バンドを用いて前記基地局装置から通知され、前記第１の単位バンドおよび前記第２の単位バンドの双方に下りデータが同時に割り当てられる場合、前記指示情報に示される単位バンドは、前記第１の単位バンドである。【００４５】
本発明の一態様に係る基地局は、複数の単位バンドを用いて端末装置と通信する基地局装置であって、前記複数の単位バンドで下りデータをそれぞれ送信する送信手段と、下りデータに対する応答信号の送信に用いる単位バンドを指示する指示情報に示される単位バンドにおいて、前記応答信号を受信する受信手段と、を有し、前記複数の単位バンドには、第１の単位バンド、および、前記第１の単位バンド以外の第２の単位バンドが含まれ、前記第１の単位バンドは、前記第１の単位バンドおよび前記第２の単位バンドの双方に下りデータが同時に割り当てられる場合に前記応答信号の送信に用いられる単位バンドであって、前記指示情報は、少なくとも前記第２の単位バンドの下りデータが割り当てられる場合に、前記第２の単位バンドを用いて前記端末装置へ通知され、前記第１の単位バンドおよび前記第２の単位バンドの双方に下りデータが同時に割り当てられる場合、前記指示情報に示される単位バンドは、前記第１の単位バンドである。【００４６】
本発明の一態様に係る送信方法は、複数の単位バンドを用いて基地局装置と通信する端末装置における送信方法であって、前記複数の単位バンドでそれぞれ送信される下りデータの誤り検出結果を用いて応答信号を生成し、前記応答信号の送信に用いる単位バンドを指示する指示情報に示される単位バンドを用いて、前記応答信号を送信し、前記複数の単位バンドには、第１の単位バンド、および、前記第１の単位バンドと異なる第２の単位バンドが含まれ、前記第１の単位バンドは、前記第１の単位バンドおよび前記第２の単位バンドの双方に下りデータが同時に割り当てられる場合に前記応答信号の送信に用いられる単位バンドであって、前記指示情報は、少なくとも前記第２の単位バンドの下りデータが割り当てられる場合に、前記第２の単位バンドを用いて前記基地局装置から通知され、前記第１の単位バンドおよび前記第２の単位バンドの双方に下りデータが同時に割り当てられる場合、前記指示情報に示される単位バンドは、前記第１の単位バンドである。【００４７】
本発明の一態様に係る受信方法は、複数の単位バンドを用いて端末装置と通信する基地局装置における受信方法であって、前記複数の単位バンドで下りデータをそれぞれ送信する送信手段と、下りデータに対する応答信号の送信に用いる単位バンドを指示する指示情報に示される単位バンドにおいて、前記応答信号を受信する受信手段と、を有し、前記複数の単位バンドには、第１の単位バンド、および、前記第１の単位バンド以外の第２の単位バンドが含まれ、前記第１の単位バンドは、前記第１の単位バンドおよび前記第２の単位バンドの双方に下りデータが同時に割り当てられる場合に前記応答信号の送信に用いられる単位バンドであって、前記指示情報は、少なくとも前記第２の単位バンドの下りデータが割り当てられる場合に、前記第２の単位バンドを用いて前記端末装置へ送信され、前記第１の単位バンドおよび前記第２の単位バンドの双方に下りデータが同時に割り当てられる場合、前記指示情報に示される単位バンドは、前記第１の単位バンドである。
【発明の効果】
【００４８】
本発明によれば、基地局におけるＰＵＣＣＨの検出を単一の上り単位バンドで行うことで、基地局におけるＰＵＣＣＨの検出精度の劣化を抑えることができる。
【図面の簡単な説明】
【００４９】
【図１】応答信号及び参照信号の拡散方法を示す図
【図２】ＰＵＳＣＨリソースにおける応答信号及び上り回線データのＴＤＭの適用に関わる動作を示す図
【図３】個別の端末に適用される非対称のCarrier aggregation及びその制御シーケンスの説明に供する図
【図４】Channel Selectionの説明に供する図
【図５】ＨｅｔＮｅｔ環境におけるCarrier Aggregationの説明に供する図
【図６】各セルにおけるＰＤＳＣＨ割当の説明に供する図
【図７】本発明の実施の形態１に係る端末の主要構成を示すブロック図
【図８】本発明の実施の形態１に係る基地局の構成を示すブロック図
【図９】本発明の実施の形態１に係る端末の構成を示すブロック図
【図１０】本発明の実施の形態１に係る各セルにおけるＰＤＳＣＨ割当の説明に供する図
【図１１】本発明の実施の形態１に係る基地局および端末の動作の説明に供する図
【図１２】本発明の実施の形態１に係るＰＵＣＣＨリソースの説明に供する図
【図１３】本発明の実施の形態２に係る基地局および端末の動作の説明に供する図
【図１４】本発明の実施の形態２に係るＰＵＣＣＨリソースの説明に供する図
【図１５】本発明の実施の形態２に係るその他のＰＵＣＣＨリソースの説明に供する図
【図１６】本発明の実施の形態３に係る基地局および端末の動作の説明に供する図
【発明を実施するための形態】
【００５０】
以下、本発明の各実施の形態について図面を参照して詳細に説明する。なお、実施の形態において、同一の構成要素には同一の符号を付し、その説明は重複するので省略する。
【００５１】
（実施の形態１）
本実施の形態に係る通信システムは、例えば、ＬＴＥ−Ａシステムであり、基地局１００と端末２００とを有する。基地局１００は、例えば、ＬＴＥ−Ａシステムに対応する基地局であり、端末２００は、例えば、ＬＴＥ−Ａシステムに対応する端末である。
【００５２】
図７は、本実施の形態に係る端末２００の主要構成を示すブロック図である。
【００５３】
図７に示す端末２００は、複数の単位バンドを用いて基地局装置と通信する端末装置である。応答信号生成部２１２は、複数の単位バンドでそれぞれ送信される下り回線データの誤り検出結果を用いて応答信号を生成し、制御部２０８は、応答信号の送信に用いる単位バンドを指示する指示情報（ＰＵＣＣＨ送信セル情報）を用いて、応答信号を送信する。ここで、上記複数の単位バンドには、第１の単位バンド、および、第１の単位バンドと異なる第２の単位バンドが含まれ、第１の単位バンドは、第１の単位バンドおよび第２の単位バンドの双方に下りデータが同時に割り当てられる場合に応答信号の送信に用いられる単位バンドであって、上記指示情報は、少なくとも第２の単位バンドの下り回線データが割り当てられる場合に、第２の単位バンドを用いて基地局装置１００から通知され、第１の単位バンドおよび第２の単位バンドの双方に下り回線データが同時に割り当てられる場合、指示情報に示される単位バンドは、第１の単位バンドである。
【００５４】
［基地局の構成］
図８は、本実施の形態に係る基地局１００の構成を示すブロック図である。図８において、基地局１００は、制御部１０１と、制御情報生成部１０２と、符号化部１０３と、変調部１０４と、符号化部１０５と、データ送信制御部１０６と、変調部１０７と、マッピング部１０８と、ＩＦＦＴ（Inverse Fast Fourier Transform）部１０９と、ＣＰ付加部１１０と、無線送信部１１１と、無線受信部１１２と、ＣＰ除去部１１３と、ＰＵＣＣＨ抽出部１１４と、逆拡散部１１５と、系列制御部１１６と、相関処理部１１７と、Ａ／Ｎ判定部１１８と、束Ａ／Ｎ逆拡散部１１９と、ＩＤＦＴ（Inverse Discrete Fourier Transform）部１２０と、束Ａ／Ｎ判定部１２１と、再送制御信号生成部１２２とを有する。
【００５５】
制御部１０１は、リソース割当対象端末（以下「宛先端末」又は単に「端末」ともいう）２００に対して、制御情報を送信するための下りリソース（つまり、下り制御情報割当リソース）、及び、下り回線データを送信するための下りリソース（つまり、下りデータ割当リソース）を割り当てる（Assignする）。このリソース割当は、リソース割当対象端末２００に設定される単位バンドグループに含まれる下り単位バンドにおいて行われる。また、下り制御情報割当リソースは、各下り単位バンドにおける下り制御チャネル（ＰＤＣＣＨ）に対応するリソース内で選択される。また、下りデータ割当リソースは、各下り単位バンドにおける下りデータチャネル（ＰＤＳＣＨ）に対応するリソース内で選択される。また、リソース割当対象端末２００が複数有る場合には、制御部１０１は、リソース割当対象端末２００のそれぞれに異なるリソースを割り当てる。
【００５６】
下り制御情報割当リソースは、上記したＬ１／Ｌ２ＣＣＨと同等である。すなわち、下り制御情報割当リソースは、１つ又は複数のＣＣＥから構成される。
【００５７】
また、制御部１０１は、リソース割当対象端末２００に対して制御情報を送信する際に用いる符号化率を決定する。この符号化率に応じて制御情報のデータ量が異なるので、このデータ量の制御情報をマッピング可能な数のＣＣＥを持つ下り制御情報割当リソースが、制御部１０１によって割り当てられる。
【００５８】
そして、制御部１０１は、制御情報生成部１０２に対して、下りデータ割当リソースに関する情報を出力する。また、制御部１０１は、符号化部１０３に対して、符号化率に関する情報を出力する。また、制御部１０１は、送信データ（つまり、下り回線データ）の符号化率を決定し、符号化部１０５に出力する。また、制御部１０１は、下りデータ割当リソース及び下り制御情報割当リソースに関する情報をマッピング部１０８に対して出力する。ただし、制御部１０１は下り回線データと当該下り回線データに対する下り制御情報を同一の下り単位バンドにマッピングするよう制御する。
【００５９】
制御情報生成部１０２は、下りデータ割当リソースに関する情報を含む制御情報を生成して符号化部１０３へ出力する。この制御情報は下り単位バンド毎に生成される。また、リソース割当対象端末２００が複数有る場合に、リソース割当対象端末２００同士を区別するために、制御情報には、宛先端末２００の端末ＩＤが含まれる。例えば、宛先端末２００の端末ＩＤでマスキングされたＣＲＣビットが制御情報に含まれる。この制御情報は、「下り割当制御情報（Control information carrying downlink assignment）」又は「Downlink Control Information（ＤＣＩ）」と呼ばれることがある。また、上記制御情報は、送信データ（下り回線データ）に対する誤り検出結果をどの上り単位バンドで送信するかを示す情報（ＰＵＣＣＨ送信セル情報、または、応答信号の送信に用いる単位バンドを指示する情報）Ｘを含む。制御情報生成部１０２は、ＰＵＣＣＨ送信セル情報ＸをＰＵＣＣＨ抽出部１１４に出力する。なお、ＰＵＣＣＨ送信セル情報の詳細については後述する。
【００６０】
符号化部１０３は、制御部１０１から受け取る符号化率に従って、制御情報を符号化し、符号化された制御情報を変調部１０４へ出力する。
【００６１】
変調部１０４は、符号化後の制御情報を変調し、得られた変調信号をマッピング部１０８へ出力する。
【００６２】
符号化部１０５は、宛先端末２００毎の送信データ（つまり、下り回線データ）及び制御部１０１からの符号化率情報を入力として送信データを符号化し、データ送信制御部１０６に出力する。ただし、宛先端末２００に対して複数の下り単位バンドが割り当てられる場合には、符号化部１０５は、各下り単位バンドで送信される送信データをそれぞれ符号化し、符号化後の送信データをデータ送信制御部１０６へ出力する。
【００６３】
データ送信制御部１０６は、初回送信時には、符号化後の送信データを保持すると共に変調部１０７へ出力する。符号化後の送信データは、宛先端末２００毎に保持される。また、１つの宛先端末２００への送信データは、送信される下り単位バンド毎に保持される。これにより、宛先端末２００に送信されるデータ全体の再送制御だけでなく、下り単位バンド毎の再送制御も可能になる。
【００６４】
また、データ送信制御部１０６は、再送制御信号生成部１２２から或る下り単位バンドで送信した下り回線データに対するＮＡＣＫ又はＤＴＸを受け取ると、この下り単位バンドに対応する保持データを変調部１０７へ出力する。データ送信制御部１０６は、再送制御信号生成部１２２から或る下り単位バンドで送信した下り回線データに対するＡＣＫを受け取ると、この下り単位バンドに対応する保持データを削除する。
【００６５】
変調部１０７は、データ送信制御部１０６から受け取る符号化後の送信データを変調し、変調信号をマッピング部１０８へ出力する。
【００６６】
マッピング部１０８は、制御部１０１から受け取る下り制御情報割当リソースの示すリソースに、変調部１０４から受け取る制御情報の変調信号をマッピングし、ＩＦＦＴ部１０９へ出力する。
【００６７】
また、マッピング部１０８は、制御部１０１から受け取る下りデータ割当リソース（すなわち、制御情報に含まれる情報）の示すリソース（ＰＤＳＣＨ（下りデータチャネル））に、変調部１０７から受け取る送信データの変調信号をマッピングし、ＩＦＦＴ部１０９へ出力する。
【００６８】
マッピング部１０８にて複数の下り単位バンドにおける複数のサブキャリアにマッピングされた制御情報及び送信データは、ＩＦＦＴ部１０９で周波数領域信号から時間領域信号に変換され、ＣＰ付加部１１０にてＣＰが付加されてＯＦＤＭ信号とされた後に、無線送信部１１１にてＤ／Ａ（Digital to Analog）変換、増幅及びアップコンバート等の送信処理が施され、アンテナを介して端末２００へ送信される。
【００６９】
無線受信部１１２は、端末２００から送信された上り応答信号又は参照信号を、アンテナを介して受信し、上り応答信号又は参照信号に対しダウンコンバート、Ａ／Ｄ変換等の受信処理を行う。
【００７０】
ＣＰ除去部１１３は、受信処理後の上り応答信号又は参照信号に付加されているＣＰを除去する。
【００７１】
ＰＵＣＣＨ抽出部１１４は、制御情報生成部１０２から入力されるＰＵＣＣＨ送信セル情報Ｘに基づいて、受信信号に含まれるＰＵＣＣＨ信号から、予め端末２００に通知してある束ＡＣＫ／ＮＡＣＫリソースに対応するＰＵＣＣＨ領域の信号を抽出する。ここで、束ＡＣＫ／ＮＡＣＫリソースとは、前述したように、束ＡＣＫ／ＮＡＣＫ信号が送信されるべきリソースであり、ＤＦＴ−Ｓ−ＯＦＤＭフォーマット構成を採るリソースである。具体的には、ＰＵＣＣＨ抽出部１１４は、束ＡＣＫ／ＮＡＣＫリソースに対応するＰＵＣＣＨ領域のデータ部分（すなわち、束ＡＣＫ／ＮＡＣＫ信号が配置されているＳＣ−ＦＤＭＡシンボル）と参照信号部分（すなわち、束ＡＣＫ／ＮＡＣＫ信号を復調するための参照信号が配置されているＳＣ−ＦＤＭＡシンボル）を抽出する。ＰＵＣＣＨ抽出部１１４は、抽出したデータ部分を束Ａ／Ｎ逆拡散部１１９に出力し、参照信号部分を逆拡散部１１５−１に出力する。
【００７２】
また、ＰＵＣＣＨ抽出部１１４は、制御情報生成部１０２から入力されるＰＵＣＣＨ送信セル情報に基づいて、受信信号に含まれるＰＵＣＣＨ信号から、下り割当制御情報（ＤＣＩ）の送信に用いられたＰＤＣＣＨが占有していたＣＣＥに対応付けられているＡ／Ｎリソース及び予め端末２００に通知してある複数のＡ／Ｎリソースに対応する複数のＰＵＣＣＨ領域を抽出する。ここで、Ａ／Ｎリソースとは、Ａ／Ｎが送信されるべきリソースである。具体的には、ＰＵＣＣＨ抽出部１１４は、Ａ／Ｎリソースに対応するＰＵＣＣＨ領域のデータ部分（上り制御信号が配置されているＳＣ−ＦＤＭＡシンボル）と参照信号部分（上り制御信号を復調するための参照信号が配置されているＳＣ−ＦＤＭＡシンボル）を抽出する。そして、ＰＵＣＣＨ抽出部１１４は、抽出したデータ部分及び参照信号部分の両方を、逆拡散部１１５−２に出力する。このようにして、ＣＣＥに関連付けられたＰＵＣＣＨリソース及び端末２００に対して通知した特定のＰＵＣＣＨリソースの中から選択されたリソースで応答信号が受信される。
【００７３】
系列制御部１１６は、端末２００から通知されるＡ／Ｎ、Ａ／Ｎに対する参照信号、及び、束ＡＣＫ／ＮＡＣＫ信号に対する参照信号のそれぞれの拡散に用いられる可能性があるBase sequence（すなわち、系列長１２のＺＡＣ系列）を生成する。また、系列制御部１１６は、端末２００が用いる可能性のあるＰＵＣＣＨリソースにおいて、参照信号が配置され得るリソース（以下「参照信号リソース」という）に対応する相関窓をそれぞれ特定する。そして、系列制御部１１６は、束ＡＣＫ／ＮＡＣＫリソースにおいて参照信号が配置され得る参照信号リソースに対応する相関窓を示す情報及びBase sequenceを相関処理部１１７−１に出力する。系列制御部１１６は、参照信号リソースに対応する相関窓を示す情報及びBase sequenceを、相関処理部１１７−１に出力する。また、系列制御部１１６は、Ａ／Ｎ及びＡ／Ｎに対する参照信号が配置されるＡ／Ｎリソースに対応する相関窓を示す情報及びBase sequenceを相関処理部１１７−２に出力する。
【００７４】
逆拡散部１１５−１及び相関処理部１１７−１は、束ＡＣＫ／ＮＡＣＫリソースに対応するＰＵＣＣＨ領域から抽出された参照信号の処理を行う。
【００７５】
具体的には、逆拡散部１１５−１は、端末２００が束ＡＣＫ／ＮＡＣＫリソースの参照信号において２次拡散に用いるべきウォルシュ系列で参照信号部分を逆拡散し、逆拡散後の信号を相関処理部１１７−１に出力する。
【００７６】
相関処理部１１７−１は、参照信号リソースに対応する相関窓を示す情報及びBase sequenceを用いて、逆拡散部１１５−１から入力される信号と、端末２００において１次拡散に用いられる可能性のあるBase sequenceとの相関値を求める。そして、相関処理部１１７−１は、相関値を束Ａ／Ｎ判定部１２１に出力する。
【００７７】
逆拡散部１１５−２及び相関処理部１１７−２は、複数のＡ／Ｎリソースに対応する複数のＰＵＣＣＨ領域から抽出された参照信号及びＡ／Ｎの処理を行う。
【００７８】
具体的には、逆拡散部１１５−２は、端末２００が各Ａ／Ｎリソースのデータ部分及び参照信号部分において２次拡散に用いるべきウォルシュ系列及びＤＦＴ系列でデータ部分及び参照信号部分を逆拡散し、逆拡散後の信号を相関処理部１１７−２に出力する。
【００７９】
相関処理部１１７−２は、各Ａ／Ｎリソースに対応する相関窓を示す情報及びBase sequenceを用いて、逆拡散部１１５−２から入力される信号と、端末２００において１次拡散に用いられる可能性のあるBase sequenceとの相関値をそれぞれ求める。そして、相関処理部１１７−２は、それぞれの相関値をＡ／Ｎ判定部１１８に出力する。
【００８０】
Ａ／Ｎ判定部１１８は、相関処理部１１７−２から入力される複数の相関値に基づいて、端末２００からどのＡ／Ｎリソースを用いて信号が送信されているか、若しくは、いずれのＡ／Ｎリソースも用いられていないかを判定する。そして、Ａ／Ｎ判定部１１８は、端末２００からいずれかのＡ／Ｎリソースを用いて信号が送信されていると判定した場合、参照信号に対応する成分及びＡ／Ｎに対応する成分を用いて同期検波を行い、同期検波の結果を再送制御信号生成部１２２に出力する。一方、Ａ／Ｎ判定部１１８は、端末２００がいずれのＡ／Ｎリソースも用いていないと判定した場合には、Ａ／Ｎリソースが用いられていない旨を再送制御信号生成部１２２に出力する。
【００８１】
束Ａ／Ｎ逆拡散部１１９は、ＰＵＣＣＨ抽出部１１４から入力される束ＡＣＫ／ＮＡＣＫリソースのデータ部分に対応する束ＡＣＫ／ＮＡＣＫ信号をＤＦＴ系列によって逆拡散し、その信号をＩＤＦＴ部１２０に出力する。
【００８２】
ＩＤＦＴ部１２０は、束Ａ／Ｎ逆拡散部１１９から入力される周波数領域上の束ＡＣＫ／ＮＡＣＫ信号を、ＩＤＦＴ処理によって時間領域上の信号に変換し、時間領域上の束ＡＣＫ／ＮＡＣＫ信号を束Ａ／Ｎ判定部１２１に出力する。
【００８３】
束Ａ／Ｎ判定部１２１は、ＩＤＦＴ部１２０から入力される束ＡＣＫ／ＮＡＣＫリソースのデータ部分に対応する束ＡＣＫ／ＮＡＣＫ信号を、相関処理部１１７−１から入力される束ＡＣＫ／ＮＡＣＫ信号の参照信号情報を用いて復調する。また、束Ａ／Ｎ判定部１２１は、復調後の束ＡＣＫ／ＮＡＣＫ信号を復号し、復号結果を束Ａ／Ｎ情報として再送制御信号生成部１２２に出力する。ただし、束Ａ／Ｎ判定部１２１は、相関処理部１１７−１から入力される相関値が閾値よりも小さく、端末２００から束Ａ／Ｎリソースを用いて信号が送信されていないと判定した場合には、その旨を再送制御信号生成部１２２に出力する。
【００８４】
再送制御信号生成部１２２は、束Ａ／Ｎ判定部１２１から入力される情報、Ａ／Ｎ判定部１１８から入力される情報、及び、予め端末２００に設定したグループ番号を示す情報に基づいて、下り単位バンドで送信したデータ（下り回線データ）を再送すべきか否かを判定し、判定結果に基づいて再送制御信号を生成する。具体的には、再送制御信号生成部１２２は、或る下り単位バンドで送信した下り回線データに対して再送する必要があると判断した場合には、当該下り回線データの再送命令を示す再送制御信号を生成して、再送制御信号をデータ送信制御部１０６へ出力する。また、再送制御信号生成部１２２は、或る下り単位バンドで送信した下り回線データに対して再送する必要が無いと判断した場合には、当該下り単位バンドで送信した下り回線データを再送しないことを示す再送制御信号を生成して、再送制御信号をデータ送信制御部１０６へ出力する。
【００８５】
［端末の構成］
図９は、本実施の形態に係る端末２００の構成を示すブロック図である。図９において、端末２００は、無線受信部２０１と、ＣＰ除去部２０２と、ＦＦＴ（Fast Fourier Transform）部２０３と、抽出部２０４と、復調部２０５と、復号部２０６と、判定部２０７と、制御部２０８と、復調部２０９と、復号部２１０と、ＣＲＣ部２１１と、応答信号生成部２１２と、符号化・変調部２１３と、１次拡散部２１４−１，２１４−２と、２次拡散部２１５−１，２１５−２と、ＤＦＴ部２１６と、拡散部２１７と、ＩＦＦＴ部２１８−１，２１８−２，２１８−３と、ＣＰ付加部２１９−１，２１９−２，２１９−３と、時間多重部２２０と、選択部２２１と、無線送信部２２２とを有する。
【００８６】
無線受信部２０１は、基地局１００から送信されたＯＦＤＭ信号を、アンテナを介して受信し、受信ＯＦＤＭ信号に対しダウンコンバート、Ａ／Ｄ変換等の受信処理を行う。なお、受信ＯＦＤＭ信号には、ＰＤＳＣＨ内のリソースに割り当てられたＰＤＳＣＨ信号（下り回線データ）又はＰＤＣＣＨ内のリソースに割り当てられたＰＤＣＣＨ信号が含まれる。
【００８７】
ＣＰ除去部２０２は、受信処理後のＯＦＤＭ信号に付加されているＣＰを除去する。
【００８８】
ＦＦＴ部２０３は、受信ＯＦＤＭ信号をＦＦＴして周波数領域信号に変換し、得られた受信信号を抽出部２０４へ出力する。
【００８９】
抽出部２０４は、入力される符号化率情報に従って、ＦＦＴ部２０３から受け取る受信信号から下り制御チャネル信号（ＰＤＣＣＨ信号）を抽出する。すなわち、符号化率に応じて下り制御情報割当リソースを構成するＣＣＥ（又はＲ−ＣＣＥ）の数が変わるので、抽出部２０４は、その符号化率に対応する個数のＣＣＥを抽出単位として、下り制御チャネル信号を抽出する。また、下り制御チャネル信号は、下り単位バンドごとに抽出される。抽出された下り制御チャネル信号は、復調部２０５へ出力される。
【００９０】
また、抽出部２０４は、後述する判定部２０７から受け取る自装置宛の下りデータ割当リソースに関する情報に基づいて、受信信号から下り回線データ（下りデータチャネル信号（ＰＤＳＣＨ信号））を抽出し、復調部２０９へ出力する。このように、抽出部２０４は、ＰＤＣＣＨにマッピングされた下り割当制御情報（ＤＣＩ）を受信し、ＰＤＳＣＨで下り回線データを受信する。
【００９１】
復調部２０５は、抽出部２０４から受け取る下り制御チャネル信号を復調し、得られた復調結果を復号部２０６に出力する。
【００９２】
復号部２０６は、入力される符号化率情報に従って、復調部２０５から受け取る復調結果を復号して、得られた復号結果を判定部２０７に出力する。
【００９３】
判定部２０７は、復号部２０６から受け取る復号結果に含まれる制御情報が自装置宛の制御情報であるか否かをブラインド判定（モニタ）する。この判定は、上記した抽出単位に対応する復号結果を単位として行われる。例えば、判定部２０７は、自装置の端末ＩＤでＣＲＣビットをデマスキングし、ＣＲＣ＝ＯＫ（誤り無し）となった制御情報を自装置宛の制御情報であると判定する。そして、判定部２０７は、自装置宛の制御情報に含まれる、自装置に対する下りデータ割当リソースに関する情報を抽出部２０４へ出力する。
【００９４】
また、判定部２０７は、自装置宛の制御情報（すなわち、下り割当制御情報）を検出した場合、ＡＣＫ／ＮＡＣＫ信号が発生（存在）する旨を制御部２０８に通知する。また、判定部２０７は、自装置宛の制御情報をＰＤＣＣＨ信号から検出した場合、当該ＰＤＣＣＨが占有していたＣＣＥに関する情報を制御部２０８に出力する。
【００９５】
また、判定部２０７は、自装置宛の制御情報（すなわち、下り割当制御情報）を検出した場合、当該制御情報に含まれるＰＵＣＣＨ送信セル情報Ｘを制御部２０８に出力する。
【００９６】
制御部２０８は、判定部２０７から入力されるＣＣＥに関する情報から、当該ＣＣＥに関連付けられたＡ／Ｎリソースを特定する。そして、制御部２０８は、ＣＣＥに関連付けられたＡ／Ｎリソース、又は、予め基地局１００から通知されているＡ／Ｎリソースに対応するBase sequence及び循環シフト量を、１次拡散部２１４−１へ出力し、当該Ａ／Ｎリソースに対応するウォルシュ系列及びＤＦＴ系列を２次拡散部２１５−１へ出力する。また、制御部２０８は、Ａ／Ｎリソースの周波数リソース情報をＩＦＦＴ部２１８−１に出力する。
【００９７】
また、制御部２０８は、束ＡＣＫ／ＮＡＣＫ信号を束ＡＣＫ／ＮＡＣＫリソースを用いて送信すると判断した場合、予め基地局１００から通知されている束ＡＣＫ／ＮＡＣＫリソースの参照信号部分（参照信号リソース）に対応するBase sequence及び循環シフト量を、１次拡散部２１４−２へ出力し、ウォルシュ系列を２次拡散部２１５−２へ出力する。また、制御部２０８は、束ＡＣＫ／ＮＡＣＫリソースの周波数リソース情報をＩＦＦＴ部２１８−２に出力する。
【００９８】
また、制御部２０８は、束ＡＣＫ／ＮＡＣＫリソースのデータ部分の拡散に用いるＤＦＴ系列を拡散部２１７に出力し、束ＡＣＫ／ＮＡＣＫリソースの周波数リソース情報をＩＦＦＴ部２１８−３に出力する。
【００９９】
また、制御部２０８は、束ＡＣＫ／ＮＡＣＫリソース又はＡ／Ｎリソースのいずれかを選択し、選択したリソースを無線送信部２２２に出力するよう選択部２２１に指示する。更に、制御部２０８は、選択したリソースに応じて、束ＡＣＫ／ＮＡＣＫ信号又はＡＣＫ／ＮＡＣＫ信号のいずれかを生成するよう応答信号生成部２１２に指示する。
【０１００】
また、制御部２０８は、判定部２０７から入力されるＰＵＣＣＨ送信セル情報Ｘの有無、および、ＰＵＣＣＨ送信セル情報Ｘに基づいて、ＰＵＣＣＨを送信する上り単位バンドの情報を、応答信号生成部２１２および選択部２２１に出力する。これにより、応答信号は、ＰＵＣＣＨ送信セル情報Ｘに示される上り単位バンドで送信される。ＰＵＣＣＨ送信セル情報Ｘの詳細については後述する。
【０１０１】
復調部２０９は、抽出部２０４から受け取る下り回線データを復調し、復調後の下り回線データを復号部２１０へ出力する。
【０１０２】
復号部２１０は、復調部２０９から受け取る下り回線データを復号し、復号後の下り回線データをＣＲＣ部２１１へ出力する。
【０１０３】
ＣＲＣ部２１１は、復号部２１０から受け取る復号後の下り回線データを生成し、ＣＲＣを用いて下り単位バンド毎に誤り検出し、ＣＲＣ＝ＯＫ（誤り無し）の場合にはＡＣＫを、ＣＲＣ＝ＮＧ（誤り有り）の場合にはＮＡＣＫを、応答信号生成部２１２へそれぞれ出力する。また、ＣＲＣ部２１１は、ＣＲＣ＝ＯＫ（誤り無し）の場合には、復号後の下り回線データを受信データとして出力する。
【０１０４】
応答信号生成部２１２は、ＣＲＣ部２１１から入力される、各下り単位バンドにおける下り回線データの受信状況（下り回線データの誤り検出結果）、制御部２０８から入力されるＰＵＣＣＨを送信する上り単位バンドの情報、及び、予め設定されたグループ番号を示す情報に基づいて応答信号を生成する。すなわち、応答信号生成部２１２は、制御部２０８から束ＡＣＫ／ＮＡＣＫ信号を生成するように指示された場合には、下り単位バンド毎の誤り検出結果の各々が個別データとして含まれている束ＡＣＫ／ＮＡＣＫ信号を生成する。一方、応答信号生成部２１２は、制御部２０８からＡＣＫ／ＮＡＣＫ信号を生成するように指示された場合には、１シンボルのＡＣＫ／ＮＡＣＫ信号を生成する。そして、応答信号生成部２１２は生成した応答信号を符号化・変調部２１３に出力する。
【０１０５】
符号化・変調部２１３は、束ＡＣＫ／ＮＡＣＫ信号が入力された場合には、入力された束ＡＣＫ／ＮＡＣＫ信号を符号化・変調し、１２シンボルの変調信号を生成し、ＤＦＴ部２１６へ出力する。また、符号化・変調部２１３は、１シンボルのＡＣＫ／ＮＡＣＫ信号が入力された場合には、当該ＡＣＫ／ＮＡＣＫ信号を変調し、１次拡散部２１４−１に出力する。
【０１０６】
Ａ／Ｎリソース、及び、束ＡＣＫ／ＮＡＣＫリソースの参照信号リソースに対応する１次拡散部２１４−１及び２１４−２は、制御部２０８の指示に従ってＡＣＫ／ＮＡＣＫ信号又は参照信号を、リソースに対応するBase sequenceによって拡散し、拡散した信号を２次拡散部２１５−１，２１５−２へ出力する。
【０１０７】
２次拡散部２１５−１，２１５−２は、制御部２０８の指示により、入力された１次拡散後の信号をウォルシュ系列又はＤＦＴ系列を用いて拡散しＩＦＦＴ部２１８−１，２１８−２に出力する。
【０１０８】
ＤＦＴ部２１６は、入力される時系列の束ＡＣＫ／ＮＡＣＫ信号を１２個纏めてＤＦＴ処理を行うことにより、１２個の周波数軸上の信号成分を得る。そして、ＤＦＴ部２１６は１２個の信号成分を拡散部２１７に出力する。
【０１０９】
拡散部２１７は、制御部２０８から指示されたＤＦＴ系列を用いて、ＤＦＴ部２１６から入力された１２個の信号成分を拡散し、ＩＦＦＴ部２１８−３に出力する。
【０１１０】
ＩＦＦＴ部２１８−１，２１８−２，２１８−３は、制御部２０８の指示により、入力された信号を、配置されるべき周波数位置に対応付けてＩＦＦＴ処理を行う。これにより、ＩＦＦＴ部２１８−１，２１８−２，２１８−３に入力された信号（すなわち、ＡＣＫ／ＮＡＣＫ信号、Ａ／Ｎリソースの参照信号、束ＡＣＫ／ＮＡＣＫリソースの参照信号、束ＡＣＫ／ＮＡＣＫ信号）は時間領域の信号に変換される。
【０１１１】
ＣＰ付加部２１９−１，２１９−２，２１９−３は、ＩＦＦＴ後の信号の後尾部分と同じ信号をＣＰとしてその信号の先頭に付加する。
【０１１２】
時間多重部２２０は、ＣＰ付加部２１９−３から入力される束ＡＣＫ／ＮＡＣＫ信号（すなわち、束ＡＣＫ／ＮＡＣＫリソースのデータ部分を用いて送信される信号）と、ＣＰ付加部２１９−２から入力される束ＡＣＫ／ＮＡＣＫリソースの参照信号とを、束ＡＣＫ／ＮＡＣＫリソースに時間多重し、得られた信号を選択部２２１へ出力する。
【０１１３】
選択部２２１は、制御部２０８の指示に従って、時間多重部２２０から入力される束ＡＣＫ／ＮＡＣＫリソースとＣＰ付加部２１９−１から入力されるＡ／Ｎリソースのいずれか、および、ＰＵＣＣＨ（応答信号）を送信する上り単位バンドを選択し、選択したリソースおよび上り単位バンドに割り当てられた信号を無線送信部２２２へ出力する。
【０１１４】
無線送信部２２２は、選択部２２１から受け取る信号に対しＤ／Ａ変換、増幅及びアップコンバート等の送信処理を行い、アンテナから基地局１００へ送信する。
【０１１５】
［基地局１００及び端末２００の動作］
以上の構成を有する基地局１００及び端末２００の動作について説明する。
【０１１６】
以下の説明では、端末２００に設定された下り単位バンド数がＰＣｅｌｌ（ここではマクロｅＮＢがカバーするセル）およびＳＣｅｌｌ（ここではピコｅＮＢがカバーするセル）の２つとする。また、ＰＣｅｌｌおよびＳＣｅｌｌの双方にＰＤＳＣＨを同時に割り当てられる場合、当該ＰＤＳＣＨに対するＡＣＫ／ＮＡＣＫを送信するＰＵＣＣＨとしてＰＣｅｌｌのＰＵＣＣＨが設定される。
【０１１７】
基地局１００は、端末２００に対して、ＳＣｅｌｌでＰＵＣＣＨ送信セル情報Ｘを通知するか否かを予め設定する。例えば、基地局１００は、端末２００に対して少なくともＳＣｅｌｌのＰＤＳＣＨが割り当てられる場合に、ＳＣｅｌｌを用いて、ＰＵＣＣＨ送信セル情報Ｘを通知する。換言すると、基地局１００は、ＰＣｅｌｌではＰＵＣＣＨ送信セル情報Ｘを通知しない。
【０１１８】
つまり、以下の説明では、ＰＣｅｌｌは、ＰＣｅｌｌおよびＳＣｅｌｌの双方にＰＤＳＣＨが同時に割り当てられた場合にＡＣＫ／ＮＡＣＫの送信に用いられるセル（ＣＣ）、または、ＰＵＣＣＨ送信情報Ｘの通知に用いられないセルと言える。一方、ＳＣｅｌｌは、ＰＣｅｌｌおよびＳＣｅｌｌの双方にＰＤＳＣＨが同時に割り当てられた場合にＡＣＫ／ＮＡＣＫの送信に用いられないセル（ＣＣ）、または、ＰＵＣＣＨ送信情報Ｘの通知に用いられるセルと言える。
【０１１９】
また、ＰＵＣＣＨ送信セル情報Ｘは１ビットの情報である。例えば、Ｘ＝０がＰＣｅｌｌ（またはＵＬ ＰＣＣ）を指示し、Ｘ＝１がＳＣｅｌｌ（またはＵＬ ＳＣＣ）を指示するように、基地局１００と端末２００との間で予め取り決められていればよい。
【０１２０】
以下、ＳＣｅｌｌでＰＵＣＣＨ送信セル情報Ｘを通知する場合における基地局１００および端末２００の動作について詳細に説明する。
【０１２１】
＜ＰＣｅｌｌのＰＤＳＣＨのみ割当時（図１０の上段）＞
基地局１００は、ＰＣｅｌｌのＰＤＳＣＨのみ割当時、端末２００に対して、ＰＵＣＣＨ送信セル情報Ｘを通知しない。また、基地局１００は、ＰＣｅｌｌを、ＰＣｅｌｌのＰＤＳＣＨに対するＡＣＫ／ＮＡＣＫの送信に用いられるＣＣとして特定する。つまり、基地局１００は、ＰＣｅｌｌでのＰＵＣＣＨ受信を期待する。
【０１２２】
一方、端末２００は、ＰＣｅｌｌのＰＤＳＣＨを指示するＰＤＣＣＨ（DL assignment）のみを受信するので、当該ＰＤＣＣＨで指示されたＰＤＳＣＨに対するＡＣＫ／ＮＡＣＫを、ＰＣｅｌｌのＰＵＣＣＨで送信する。
【０１２３】
＜ＳＣｅｌｌのＰＤＳＣＨのみ割当時（図１０の中段）＞
基地局１００は、ＳＣｅｌｌのＰＤＳＣＨのみ割当時、ＳＣｅｌｌのＰＤＳＣＨを指示するＰＤＣＣＨ（DL assignment）において、ＰＵＣＣＨ送信セル情報Ｘを通知する。ここで、ＰＵＣＣＨ送信セル情報Ｘは、ＳＣｅｌｌを示す。また、基地局１００は、ＰＵＣＣＨ送信セル情報Ｘで指示した上り単位バンドでのＰＵＣＣＨ受信を期待する。
【０１２４】
一方、端末２００は、ＳＣｅｌｌのＰＤＳＣＨを指示するＰＤＣＣＨ（DL assignment）のみを受信する。また、端末２００は、当該ＰＤＣＣＨにおいて、ＰＵＣＣＨ送信セル情報Ｘを取得し、Ｘに示されたＳＣｅｌｌを、ＰＵＣＣＨ送信セルとして特定する。つまり、端末２００（制御部２０８）は、ＰＵＣＣＨ送信セル情報Ｘに示される上り単位バンド（図１０ではＳＣｅｌｌ）を用いて、ＳＣｅｌｌのＰＤＳＣＨに対するＡＣＫ／ＮＡＣＫを送信する。
【０１２５】
＜ＰＣｅｌｌとＳＣｅｌｌの双方のＰＤＳＣＨを同時に割当時（図１０の下段）＞
基地局１００は、ＰＣｅｌｌとＳＣｅｌｌとで同時にＰＤＳＣＨ割当時、ＳＣｅｌｌのＰＤＳＣＨを指示するＰＤＣＣＨ（DL assignment）において、ＰＵＣＣＨ送信セル情報Ｘを通知する。ここで、ＰＵＣＣＨ送信セル情報Ｘとして、常にＰＣｅｌｌを指示する（Ｘ＝ＰＣｅｌｌ）。また、基地局１００は、ＰＵＣＣＨ送信セル情報Ｘで指示したＰＣｅｌｌでのＰＵＣＣＨ受信を期待する。
【０１２６】
一方、端末２００は、少なくともＳＣｅｌｌのＰＤＳＣＨを指示するＰＤＣＣＨ（DL assignment）の受信に成功した場合には、ＰＵＣＣＨ送信セル情報Ｘも取得するので、ＸがＰＣｅｌｌを示していることを特定する。そこで、端末２００は、ＰＵＣＣＨ送信セル情報Ｘの指示に従って、受信したＰＤＳＣＨに対するＡＣＫ／ＮＡＣＫを、ＰＣｅｌｌのＰＵＣＣＨで送信する。
【０１２７】
また、端末２００は、ＰＣｅｌｌのＰＤＳＣＨを指示するＰＤＣＣＨ（DL assignment）の受信のみに成功した場合、基地局１００がＰＣｅｌｌのＰＤＳＣＨのみを割り当てた場合（図１０の上段）と同様にして、ＰＤＳＣＨに対するＡＣＫ／ＮＡＣＫを、ＰＣｅｌｌのＰＵＣＣＨで送信する。
【０１２８】
つまり、端末２００は、少なくともＰＣｅｌｌのＰＤＳＣＨに対するＰＤＣＣＨを受信した場合（図１０の上段および下段）、ＰＣｅｌｌでＡＣＫ／ＮＡＣＫを送信し、ＳＣｅｌｌのＰＤＳＣＨに対するＰＤＣＣＨのみを受信した場合（図１０の中段）、ＰＵＣＣＨ送信セル情報Ｘに示される上り単位バンド（ＰＣｅｌｌまたはＳＣｅｌｌ）を用いてＡＣＫ／ＮＡＣＫを送信する。
【０１２９】
以上、ＳＣｅｌｌでＰＵＣＣＨ送信セル情報Ｘを通知する場合における基地局１００および端末２００の動作について説明した。
【０１３０】
このように、基地局１００は、ＰＣｅｌｌのＰＤＳＣＨを指示するＰＤＣＣＨではＰＵＣＣＨ送信セル情報Ｘを通知せず、ＳＣｅｌｌのＰＤＳＣＨを指示するＰＤＣＣＨにおいてＰＵＣＣＨ送信セル情報Ｘを通知する。また、ＰＣｅｌｌとＳＣｅｌｌとで同時にＰＤＳＣＨ割当時には、ＰＵＣＣＨ送信セル情報Ｘに示される上り単位バンドは、常にＰＣｅｌｌ（ＰＵＣＣＨ送信セル情報Ｘを通知しないＣＣ）である。
【０１３１】
これにより、例えば、ＰＣｅｌｌとＳＣｅｌｌとで同時にＰＤＳＣＨ割当時において、端末２００が応答信号送信用単位バンド（図１０ではＰＣｅｌｌ）のＰＤＳＣＨを指示するＰＤＣＣＨの受信に失敗した場合でも、端末２００は、ＳＣｅｌｌで通知されるＰＵＣＣＨ送信セル情報Ｘの指示に従って、ＰＵＣＣＨ送信セル（ＰＣｅｌｌ）で適切にＡＣＫ／ＮＡＣＫを送信することができる。
【０１３２】
より詳細には、図１０の下段に示す「ＰＣｅｌｌとＳＣｅｌｌとで同時にＰＤＳＣＨ割当時」においてＰＣｅｌｌのＰＤＳＣＨを指示するＰＤＣＣＨの受信に失敗した場合でも、端末２００は、図１０の中段に示す「ＳＣｅｌｌのＰＤＳＣＨのみ割当時」のようにＳＣｅｌｌでＡＣＫ／ＮＡＣＫを送信することなく、ＰＣｅｌｌでＡＣＫ／ＮＡＣＫを送信することができる。つまり、基地局１００がＰＵＣＣＨ受信を期待するセルと、端末２００が実際にＰＵＣＣＨ送信を行うセルとが異なることを防ぐことができる。
【０１３３】
これにより、基地局１００は、端末２００におけるＰＤＣＣＨの受信失敗に備えて、複数の上り単位バンド（ＰＣｅｌｌおよびＳＣｅｌｌ）でＰＵＣＣＨの検出を行う必要が無くなる。つまり、基地局１００は、上述したように端末２００に対する下り単位バンドのＰＤＳＣＨ割当に応じてＰＵＣＣＨ受信を期待する単一の上り単位バンドのみでＰＵＣＣＨの検出を行えばよい。こうすることで、基地局１００におけるＰＵＣＣＨの検出精度の劣化を抑えることができる。
【０１３４】
さらに、図１０では、ＰＣｅｌｌとＳＣｅｌｌで同時にＰＤＳＣＨ割当時には、常に、ＰＣｅｌｌにおいてＡＣＫ／ＮＡＣＫ送信（ＰＵＣＣＨ送信）が行われる。一方、図１０では、ＳＣｅｌｌのみＰＤＳＣＨ割当時には、ＳＣｅｌｌにおいてＰＵＣＣＨ送信が行われる。
【０１３５】
また、端末２００（応答信号生成部２１２）では、ＰＵＣＣＨ送信セル情報ＸがＰＣｅｌｌを示す場合、ＰＣｅｌｌおよびＳＣｅｌｌの双方のＰＤＳＣＨに対するＡＣＫ／ＮＡＣＫが生成され、ＰＵＣＣＨ送信セル情報ＸがＳＣｅｌｌを示す場合、ＳＣｅｌｌのＰＤＳＣＨのみに対するＡＣＫ／ＮＡＣＫが生成される。つまり、端末２００では、ＰＵＣＣＨ送信セル情報ＸがＳＣｅｌｌを示す場合、端末２００に設定された複数の単位バンドの総数（図１０では２つ）未満の単位バンドのＰＤＳＣＨに対する誤り検出結果を用いてＡＣＫ／ＮＡＣＫが生成される。
【０１３６】
このことから、ＰＣｅｌｌのＰＵＣＣＨでは、最大で端末２００に設定された下り単位バンド数（２つ）分のＡＣＫ／ＮＡＣＫが送信され、ＳＣｅｌｌのＰＵＣＣＨでは、当該ＰＵＣＣＨ送信セル情報Ｘを通知する下り単位バンド数（１つ）分のＡＣＫ／ＮＡＣＫが送信される。
【０１３７】
すなわち、ＳＣｅｌｌのＰＵＣＣＨでは、端末２００に設定された下り単位バンド数（２つ）分のＡＣＫ／ＮＡＣＫ送信を想定する必要がなく、端末２００に設定された下り単位バンドの総数未満の下り単位バンド数（１つ）分に最適化されたＡＣＫ／ＮＡＣＫ送信を行えばよい。
【０１３８】
つまり、端末２００（制御部２０８）は、ＰＵＣＣＨ送信セル情報ＸがＰＣｅｌｌを示す場合、端末２００に設定された下り単位バンド数分に最適化されたＡＣＫ／ＮＡＣＫ送信方法（ＰＵＣＣＨ送信方法）を用いてＡＣＫ／ＮＡＣＫを送信する。また、端末２００は、ＰＵＣＣＨ送信セル情報ＸがＳＣｅｌｌを示す場合、上記ＡＣＫ／ＮＡＣＫ送信方法とは異なるＡＣＫ／ＮＡＣＫ送信方法を用いてＡＣＫ／ＮＡＣＫを送信する。
【０１３９】
端末２００が、より少ない下り単位バンド数に最適化されたＡＣＫ／ＮＡＣＫ送信を行うことにより、基地局１００での所要受信品質を満足するためのＰＵＣＣＨの所要平均ＳＮＲをより低減することができる。このＡＣＫ／ＮＡＣＫ送信方法の最適化により得られる効果は、距離が近いピコｅＮＢへＰＵＣＣＨ送信を切り替えることに起因する送信電力低減および干渉低減とは異なる、本実施の形態における格別の効果である。
【０１４０】
このように、ＰＵＣＣＨ送信セル情報Ｘは、ＰＵＣＣＨ送信セル（上り単位バンド）を指示すると同時に、当該セルにおいて、最大何個の下り単位バンドのＰＤＳＣＨに対する誤り検出結果を通知するかを指示する。つまり、ＰＵＣＣＨ送信セル情報Ｘは、ＡＣＫ／ＮＡＣＫ送信方法も指示する。
【０１４１】
図１１および図１２を援用して、Channel Selection設定時におけるＡＣＫ／ＮＡＣＫ送信方法の切替の一例について説明する。
【０１４２】
以下の説明では、ＣＩＦ（Cross Indicator Field）非設定時（ｎｏｎ−ＣＩＦ）、および、ＣＩＦ設定時（ＣＩＦ）のそれぞれについて説明する。ここで、ＣＩＦ非設定時には、ＰＣｅｌｌのＰＤＳＣＨはＰＣｅｌｌのＰＤＣＣＨによって通知され、ＳＣｅｌｌのＰＤＳＣＨはＳＣｅｌｌのＰＤＣＣＨによって通知される。これに対して、ＣＩＦ設定時には、ＰＣｅｌｌのＰＤＳＣＨおよびＳＣｅｌｌのＰＤＳＣＨの双方ともＰＣｅｌｌのＰＤＣＣＨによって通知される。
【０１４３】
また、各ＰＤＣＣＨに含まれるＴＰＣフィールド（２ビット）は、ＰＵＣＣＨのＴＰＣコマンドとして用いられる場合と、ＡＲＩ（ＰＵＣＣＨリソースの指示）として用いられる場合とがある。
【０１４４】
＜ＣＩＦ非設定時またはＣＩＦ設定時、かつ、ＰＣｅｌｌのＰＤＳＣＨ割当時＞
基地局１００は、ＣＩＦ設定の有無によらず、ＰＣｅｌｌのＰＤＳＣＨを指示するＰＤＣＣＨでは、ＴＰＣフィールド（２ビット）をＰＵＣＣＨのＴＰＣコマンドとする。また、端末２００は、ＡＣＫ／ＮＡＣＫの送信リソースとして、受信したＰＣｅｌｌのＰＤＣＣＨが占有する先頭ＣＣＥインデックスｎＣＣＥに対応づけられたＰＣｅｌｌ上のＰＵＣＣＨリソース（図１２ではＰＵＣＣＨリソース０）を特定する。
【０１４５】
また、ＰＣｅｌｌのＰＤＳＣＨのみ割当時、つまり、ＳＣｅｌｌのＰＤＳＣＨ割当が無い場合、端末２００は、ＰＣｅｌｌのＰＤＳＣＨに対するＡＣＫ／ＮＡＣＫを、上述した先頭ＣＣＥインデックスｎＣＣＥに対応付けられたＰＣｅｌｌ上のＰＵＣＣＨリソースで送信する。この際、ＰＣｅｌｌのＰＤＳＣＨを指示するＰＤＣＣＨがｎｏｎ−ＭＩＭＯ受信を指示する場合（ＡＣＫ／ＮＡＣＫのビット数が１ビットの場合）、ＡＣＫ／ＮＡＣＫはＢＰＳＫマッピングされる。一方、ＰＣｅｌｌのＰＤＳＣＨを指示するＰＤＣＣＨがＭＩＭＯ受信を指示する場合（ＡＣＫ／ＮＡＣＫのビット数が２ビットの場合）、ＡＣＫ／ＮＡＣＫはＱＰＳＫマッピングされる。
【０１４６】
なお、端末２００は、ＰＣｅｌｌのＰＤＳＣＨを指示するＰＤＣＣＨがＭＩＭＯ受信を指示する場合、または、ＳＣｅｌｌのＰＤＳＣＨ割当がある場合、更に、ＡＣＫ／ＮＡＣＫの送信リソースとして、先頭ＣＣＥインデックスｎＣＣＥに隣接するｎＣＣＥ＋１に対応付けられたＰＣｅｌｌ上のＰＵＣＣＨリソース（図１２ではＰＵＣＣＨリソース１）を特定する。
【０１４７】
また、ＣＡ（Carrier Aggregation）非設定時には、基地局１００は、ＰＣｅｌｌのＰＤＳＣＨを指示するＰＤＣＣＨにおいて、ＴＰＣフィールド（２ビット）をＰＵＣＣＨのＴＰＣコマンドとする。また、端末２００は、ＡＣＫ／ＮＡＣＫの送信リソースとして、当該ＰＣｅｌｌのＰＤＣＣＨが占有する先頭ＣＣＥインデックスｎＣＣＥに対応づけられたＰＣｅｌｌ上のＰＵＣＣＨリソースを特定する。こうすることで、端末２００ではＣＡ非設定時、および、ＣＡ設定かつＰＣｅｌｌのＰＤＳＣＨのみ割当時に、同一の上り単位バンド、同一のＰＵＣＣＨリソース、および、同一のＡＣＫ／ＮＡＣＫマッピングを用いて、ＡＣＫ／ＮＡＣＫ送信を行うことができる。これにより、ＣＡ非設定からＣＡ設定への再設定、または、ＣＡ設定からＣＡ非設定への再設定の途中において、基地局１００と端末２００との間で設定の認識が異なるタイミングでの動作の不整合（Uncertainty）を回避することができる（以降、これを、ＬＴＥ  ｆａｌｌｂａｃｋをサポートできると表現する場合がある）。
【０１４８】
＜ＣＩＦ非設定時、ＳＣｅｌｌのＰＤＳＣＨ割当時、かつ、Ｘ＝ＰＣｅｌｌ＞
基地局１００は、ＣＩＦ非設定時、ＳＣｅｌｌのＰＤＳＣＨを指示するＰＤＣＣＨにおいて、ＰＵＣＣＨ送信セル情報ＸとしてＰＣｅｌｌを指示する。この場合、基地局１００は、ＴＰＣフィールド（２ビット）をＡＲＩとする（例えば図１１の下段左側）。
【０１４９】
端末２００は、最大１ＣＷ（コードワード：codeword）送信のみをサポートする送信モードが設定された場合、予め設定されたＰＣｅｌｌ上の４つのexplicitリソースのうちいずれか１つを、通知されるＡＲＩに従って選択する（図１２ではＰＵＣＣＨリソース２又は３）。また、端末２００は、最大２ＣＷ送信までをサポートする送信モードが設定された場合、予め設定された１組２つのexplicitリソースからなる、ＰＣｅｌｌ上の４組のexplicitリソースペアのうちいずれか１つを、通知されるＡＲＩに従って選択する（図１２ではＰＵＣＣＨリソース２，３）。
【０１５０】
また、端末２００は、ＰＣｅｌｌおよびＳＣｅｌｌの各ＰＤＳＣＨに対するＡＣＫ／ＮＡＣＫを、Channel Selectionにより基地局１００に送信する。すなわち、ＰＵＣＣＨ送信セル情報ＸがＰＣｅｌｌの場合、端末２００は、当該端末２００に対して２つの下り単位バンドにＰＤＳＣＨが割り当てられていると判断し、２つの下り単位バンドに最適化されたＡＣＫ／ＮＡＣＫ送信方法を適用する。２つの下り単位バンドに最適化されたＡＣＫ／ＮＡＣＫ送信方法としては、例えば、Channel Selectionを利用した、ＰＵＣＨ  ｆｏｒｍａｔ  １ｂが挙げられる。
【０１５１】
＜ＣＩＦ非設定時、ＳＣｅｌｌのＰＤＳＣＨ割当時、かつ、Ｘ＝ＳＣｅｌｌ＞
基地局１００は、ＣＩＦ非設定時、ＳＣｅｌｌのＰＤＳＣＨを指示するＰＤＣＣＨにおいて、ＰＵＣＣＨ送信セル情報ＸとしてＳＣｅｌｌを指示する。この場合、基地局１００は、ＴＰＣフィールド（２ビット）をＰＵＣＣＨのＴＰＣコマンドとする（例えば図１１の中段左側）。
【０１５２】
端末２００は、ＳＣｅｌｌのＰＤＳＣＨに対するＡＣＫ／ＮＡＣＫを、ＳＣｅｌｌのＰＤＣＣＨが占有する先頭ＣＣＥインデックスｎＣＣＥ’に対応付けられたＳＣｅｌｌ上のＰＵＣＣＨリソース（図１２ではＰＵＣＣＨリソース０）で送信する。この際、ＳＣｅｌｌのＰＤＳＣＨを指示するＰＤＣＣＨがｎｏｎ−ＭＩＭＯを指示する場合（ＡＣＫ／ＮＡＣＫのビット数が１ビットの場合）、ＡＣＫ／ＮＡＣＫはＢＰＳＫマッピングされる。一方、ＳＣｅｌｌのＰＤＳＣＨを指示するＰＤＣＣＨがＭＩＭＯを指示する場合（ＡＣＫ／ＮＡＣＫのビット数が２ビットの場合）、ＡＣＫ／ＮＡＣＫはＱＰＳＫマッピングされる。
【０１５３】
すなわち、ＰＵＣＣＨ送信セル情報ＸがＳＣｅｌｌの場合、端末２００は、当該端末２００に対して１つの下り単位バンド（ＳＣｅｌｌ）のＰＤＳＣＨのみが割り当てられていると判断し、１つの下り単位バンドに最適化されたＡＣＫ／ＮＡＣＫ送信方法を適用する。１つの下り単位バンドに最適化されたＡＣＫ／ＮＡＣＫ送信方法としては、例えば、ＰＵＣＣＨ  ｆｏｒｍａｔ  １ａ／１ｂが挙げられる。
【０１５４】
＜ＣＩＦ設定時、ＳＣｅｌｌのＰＤＳＣＨ割当時、かつ、Ｘ＝ＰＣｅｌｌ＞
基地局１００は、ＣＩＦ設定時、ＳＣｅｌｌのＰＤＳＣＨを指示するＰＣｅｌｌのＰＤＣＣＨにおいて、ＰＵＣＣＨ送信セル情報ＸとしてＰＣｅｌｌを指示する。この場合、基地局１００は、ＴＰＣフィールド（２ビット）をＰＵＣＣＨのＴＰＣコマンドとする（例えば図１１の下段右側）。
【０１５５】
端末２００は、ＡＣＫ／ＮＡＣＫの送信リソースとして、当該ＰＣｅｌｌのＰＤＣＣＨが占有する先頭ＣＣＥインデックスｎＣＣＥ’に対応付けられたＰＣｅｌｌ上のＰＵＣＣＨリソース（図１２ではＰＵＣＣＨリソース２）を特定する。また、最大２ＣＷ送信までをサポートする送信モードが設定された場合、端末２００は、ＡＣＫ／ＮＡＣＫの送信リソースとして、更に、先頭ＣＣＥインデックスｎＣＣＥ’に隣接するｎＣＣＥ’＋１に対応付けられたＰＣｅｌｌ上のＰＵＣＣＨリソース（図１２ではＰＵＣＣＨリソース３）も特定する。
【０１５６】
また、端末２００は、ＰＣｅｌｌおよびＳＣｅｌｌの各ＰＤＳＣＨに対するＡＣＫ／ＮＡＣＫを、Channel Selectionにより基地局１００に通知する。すなわち、ＰＵＣＣＨ送信セル情報ＸがＰＣｅｌｌの場合、端末２００は、当該端末２００に対して２つの下り単位バンドにＰＤＳＣＨが割り当てられていると判断し、２つの下り単位バンドに最適化されたＡＣＫ／ＮＡＣＫ送信方法を適用する。
【０１５７】
＜ＣＩＦ設定時、ＳＣｅｌｌのＰＤＳＣＨ割当時、かつ、Ｘ＝ＳＣｅｌｌ＞
基地局１００は、ＣＩＦ設定時、ＳＣｅｌｌのＰＤＳＣＨを指示するＰＣｅｌｌのＰＤＣＣＨにおいて、ＰＵＣＣＨ送信セル情報ＸとしてＳＣｅｌｌを指示する。この場合、基地局１００は、ＴＰＣフィールド（２ビット）をＰＵＣＣＨのＡＲＩとする（例えば図１１の中段右側）。
【０１５８】
端末２００は、予め設定されたＳＣｅｌｌ上の４つのexplicitリソースのうちいずれか１つをＡＲＩによって選択する（図１２ではＰＵＣＣＨリソース０）。この際、ＳＣｅｌｌのＰＤＳＣＨを指示するＰＣｅｌｌのＰＤＣＣＨがｎｏｎ−ＭＩＭＯを指示する場合（ＡＣＫ／ＮＡＣＫのビット数が１ビットの場合）、当該ＰＵＣＣＨリソースにおいて、ＡＣＫ／ＮＡＣＫはＢＰＳＫマッピングされる。また、ＳＣｅｌｌのＰＤＳＣＨを指示するＰＣｅｌｌのＰＤＣＣＨがＭＩＭＯを指示する場合（ＡＣＫ／ＮＡＣＫのビット数が２ビットの場合）、当該ＰＵＣＣＨリソースにおいて、ＡＣＫ／ＮＡＣＫはＱＰＳＫマッピングされる。
【０１５９】
すなわち、ＰＵＣＣＨ送信セル情報ＸがＳＣｅｌｌの場合、端末２００は、当該端末２００に対して１つの下り単位バンド（ＳＣｅｌｌ）にＰＤＳＣＨが割り当てられていると判断し、１つの下り単位バンドに最適化されたＡＣＫ／ＮＡＣＫ送信方法を適用する。
【０１６０】
以上、図１１および図１２を援用して、Channel Selection設定時におけるＡＣＫ／ＮＡＣＫ送信方法の切替の一例について説明した。
【０１６１】
このように、ＰＵＣＣＨ送信セル情報Ｘは、ＰＵＣＣＨ送信セルを指示するとともに（図１０参照）、指示されたセルで送信されるＡＣＫ／ＮＡＣＫの送信方法を指示する。こうすることで、端末２００は、ＰＤＳＣＨの送信に使用される下り単位バンド数に応じて最適化されたＡＣＫ／ＮＡＣＫ送信方法を用いて、ＡＣＫ／ＮＡＣＫを送信することができる。これにより、基地局１００での所要受信品質を満足するためのＰＵＣＣＨの所要平均ＳＮＲを低減することができる。
【０１６２】
さらに、ＰＵＣＣＨ送信セル情報Ｘは、ＴＰＣフィールド（２ビット）がＴＰＣコマンドまたはＡＲＩのどちらの情報であるかを指示するということもできる。つまり、ＣＩＦ非設定時には、ＰＵＣＣＨ送信セル情報Ｘが、ＰＣｅｌｌの場合、ＴＰＣフィールドはＡＲＩを表し、ＳＣｅｌｌの場合、ＴＰＣフィールドはＴＰＣコマンドを表す。一方、ＣＩＦ設定時には、ＰＵＣＣＨ送信セル情報Ｘが、ＰＣｅｌｌの場合、ＴＰＣフィールドはＴＰＣコマンドを表し、ＳＣｅｌｌの場合、ＴＰＣフィールドはＡＲＩを表す。
【０１６３】
以上のように、基地局１００は、少なくともＳＣｅｌｌのＰＤＳＣＨが割り当てられる場合に、ＳＣｅｌｌを用いてＰＵＣＣＨ送信セル情報Ｘを通知する。ここで、ＰＣｅｌｌは、ＰＣｅｌｌおよびＳＣｅｌｌの双方にＰＤＳＣＨが同時に割り当てられる場合にＡＣＫ／ＮＡＣＫが送信される上り単位バンドであり、ＰＣｅｌｌおよびＳＣｅｌｌの双方にＰＤＳＣＨが同時に割り当てられる場合、ＰＵＣＣＨ送信セル情報Ｘに示される単位バンドはＰＣｅｌｌである。
【０１６４】
こうすることで、端末２００がＰＤＳＣＨの割当を指示するＰＤＣＣＨの受信に失敗した場合でも、端末２００は、ＡＣＫ／ＮＡＣＫを送信すべき上り単位バンドを特定することができる。これにより、複数の下り単位バンドと複数の上り単位バンドを使用した通信においてＡＲＱが適用される場合、かつ、ＰＵＣＣＨを送信する上り単位バンドを切り替える場合において、基地局１００がＰＵＣＣＨ受信を期待する上り単位バンドと、端末２００が実際にＰＵＣＣＨ送信を行う上り単位バンドとが異なることを防止できる。よって、基地局１００におけるＰＵＣＣＨの検出を単一の上り単位バンドで行うことにより、基地局１００におけるＰＵＣＣＨの検出精度の劣化を抑えることができる。
【０１６５】
さらに、端末２００は、ＰＵＣＣＨ送信セル情報Ｘに基づいて、当該端末２００に割り当てられた下り単位バンド数を特定することにより、最適なＡＣＫ／ＮＡＣＫ送信方法を用いてＡＣＫ／ＮＡＣＫを送信することができる。これにより、基地局１００での所要受信品質を満足するためのＰＵＣＣＨの所要平均ＳＮＲを低減することができる。
【０１６６】
なお、図１１および図１２では、ＳＣｅｌｌ上のＰＵＣＣＨリソースは、ＣＩＦ非設定時にはｎＣＣＥ’に対応付けられ、ＣＩＦ設定時には予め設定されたＳＣｅｌｌ上の４つのexplicitリソースのうち、ＡＲＩによって１つ選択される場合について説明した。しかし、本実施の形態では、このリソース通知方法に限定するものではない。例えば、ＣＩＦ非設定時でも、ＳＣｅｌｌ上のＰＵＣＣＨリソースとして、予め設定されたＳＣｅｌｌ上の４つのexplicitリソースのうち、１つをＡＲＩによって選択してもよい。または、ＣＩＦ非設定時またはＣＩＦ設定時において、ＡＲＩを用いずに、予め設定された１つのexplicitリソースのみをＳＣｅｌｌ上のＰＵＣＣＨリソースとして常に用いてもよい。
【０１６７】
また、本実施の形態において、ＣＩＦ設定時には、ＳＣｅｌｌは、干渉を受けて品質が劣悪であることが想定される。そこで、ＣＩＦ設定時には、常に、ＰＣｅｌｌでＰＵＣＣＨ送信を行ってもよい。
【０１６８】
また、本実施の形態では、ＰＣｅｌｌでＰＵＣＣＨ送信セル情報Ｘを通知せず、ＳＣｅｌｌでＰＵＣＣＨ送信セル情報Ｘを通知するよう設定したが、逆に、ＰＣｅｌｌでＰＵＣＣＨ送信セル情報Ｘを通知してもよい。また、ＰＣｅｌｌとＳＣｅｌｌの両方でＰＵＣＣＨ送信セル情報Ｘを通知してもよい。ＳＣｅｌｌでＰＵＣＣＨ送信セル情報Ｘを通知する場合は、基地局１００は、ＰＣｅｌｌとＳＣｅｌｌの両方でＰＤＳＣＨ割当を行う場合、ＰＵＣＣＨ送信セル情報Ｘを常にＰＣｅｌｌとした。一方で、ＰＣｅｌｌでＰＵＣＣＨ送信セル情報Ｘを通知する場合は、基地局１００は、ＰＣｅｌｌとＳＣｅｌｌの両方でＰＤＳＣＨ割当を行う場合、ＰＵＣＣＨ送信セル情報Ｘを常にＳＣｅｌｌとする。すなわち、ＰＣｅｌｌでＰＵＣＣＨ送信セル情報Ｘを通知する場合、ＳＣｅｌｌでＰＵＣＣＨ送信セル情報Ｘを通知する場合に比べて、ＰＵＣＣＨをＳＣｅｌｌで通知する機会が増える。すなわち、マクロセル（ＰＣｅｌｌ）におけるＰＵＣＣＨオーバーヘッドを、ピコセル（ＳＣｅｌｌ）にオフロード（offload）する効果をより高めることができる。
【０１６９】
また、本実施の形態では、ＳＣｅｌｌのＰＤＳＣＨのみ割当時に、ＰＵＣＣＨ送信セル情報ＸがＳＣｅｌｌを示す場合について説明したが、これに限定するものではない。例えば、ＳＣｅｌｌのＰＤＳＣＨのみ割当時に、ＰＵＣＣＨ送信セル情報ＸがＰＣｅｌｌを示し、ＰＣｅｌｌ上のＰＵＣＣＨでＡＣＫ／ＮＡＣＫが送信されてもよい。この場合、ＰＣｅｌｌのＰＤＳＣＨ割当とＳＣｅｌｌのＰＤＳＣＨ割当の組合せによらず、端末２００は常にＰＣｅｌｌ上のＰＵＣＣＨでＡＣＫ／ＮＡＣＫを送信する。これにより、例えばＳＣｅｌｌの上りリンク（ＵＬ ＳＣＣ）が強い干渉を受ける場合に、端末２００は、品質のより良好なＰＣｅｌｌの上りリンク（ＵＬ ＰＣＣ）でＡＣＫ／ＮＡＣＫを常に送信することができる。ＡＣＫ／ＮＡＣＫを良好な品質で基地局１００に通知することができるので、下り回線データの不要な再送の発生を抑えることができる。
【０１７０】
また、本実施の形態において、図１１に示すように、ＰＵＣＣＨのＴＰＣコマンドは、当該ＴＰＣコマンドを含むＰＤＣＣＨに対応するＰＵＣＣＨの送信電力制御をするためのコマンドであると考えられる。つまり、ＰＣｅｌｌ（ＳＣｅｌｌ）のＰＤＣＣＨで通知されるＴＰＣコマンドは、ＰＣｅｌｌ（ＳＣｅｌｌ）のＰＵＣＣＨの送信電力制御のためのコマンドである。図１１では、ＣＩＦ非設定時において、ＰＵＣＣＨ送信セル情報ＸがＳＣｅｌｌを指示する場合には、ＰＤＣＣＨで通知されるＴＰＣコマンドは、ＳＣｅｌｌのＰＵＣＣＨのＴＰＣコマンドである。また、ＣＩＦ非設定時において、ＰＵＣＣＨ送信セル情報ＸがＰＣｅｌｌを指示する場合、又は、ＰＵＣＣＨ送信セル情報Ｘが通知されずに、ＰＣｅｌｌのＰＤＳＣＨが割り当てられた場合には、ＰＤＣＣＨで通知されるＴＰＣコマンドは、ＰＣｅｌｌのＰＵＣＣＨのＴＰＣコマンドである。
【０１７１】
一方、図１１において、ＣＩＦ設定時においてＰＵＣＣＨ送信セル情報ＸがＰＣｅｌｌを指示する場合には、ＰＣｅｌｌのＰＤＳＣＨを指示するＰＤＣＣＨおよびＳＣｅｌｌのＰＤＳＣＨを指示するＰＤＣＣＨは双方ともＰＣｅｌｌで送信される。よって、ＣＩＦ設定時もＣＩＦ非設定時と同様に考えると、ＰＣｅｌｌの各ＰＤＣＣＨで通知されるＴＰＣコマンドは、いずれもＰＣｅｌｌのＰＵＣＣＨ向けのＴＰＣコマンドであると考えられる。このため、ＣＩＦ設定時には、端末２００に対して通知されるＴＰＣコマンドが冗長となる課題がある。
【０１７２】
そこで、ＣＩＦ設定時に限り、ＳＣｅｌｌのＰＤＳＣＨを指示するＰＤＣＣＨのＴＰＣフィールドでＴＰＣコマンドを指示する場合、当該ＴＰＣコマンドをＳＣｅｌｌのＰＵＣＣＨ向けのＴＰＣコマンドとし、ＰＣｅｌｌのＰＤＳＣＨを指示するＰＤＣＣＨのＴＰＣフィールドでＴＰＣコマンドを指示する場合、当該ＴＰＣコマンドをＰＣｅｌｌのＰＵＣＣＨ向けのＴＰＣコマンドとしてもよい。こうすることで、上述した冗長なＴＰＣコマンドの通知を解消できる。なお、上記ＳＣｅｌｌのＰＵＣＣＨ向けのＴＰＣコマンドは、通知された時点以降におけるＳＣｅｌｌでのＰＵＣＣＨ送信時の送信電力制御に用いられる。ここで、ＳＣｅｌｌは、ＰＣｅｌｌと比較して狭いセル（例えば低速移動又は停止中の端末向けセル）であることが想定され、ＳＣｅｌｌでのチャネルの変動は小さいので、ＰＣｅｌｌと比較して、ＰＵＣＣＨの送信電力制御の頻度は低くてもよい。
【０１７３】
（実施の形態２）
本実施の形態では、端末に設定された下り単位バンド数が２つ以上５つ以下である場合（ＰＣｅｌｌ，ＳＣｅｌｌ１，…）、かつ、ＰＵＣＣＨ送信セルの候補が２つである場合について説明する。
【０１７４】
なお、本実施の形態に係る基地局及び端末は、実施の形態１に係る基地局１００及び端末２００と基本構成が共通するので、図８，９を援用して説明する。
【０１７５】
基地局１００は、端末２００に対して、どのＳＣｅｌｌでＰＵＣＣＨ送信セル情報Ｘを通知するかを予め設定する。また、基地局１００は、ＰＣｅｌｌではＰＵＣＣＨ送信セル情報Ｘを通知しない。
【０１７６】
以下では、端末２００に対して、ＰＣｅｌｌおよびＳＣｅｌｌ１〜ＳＣｅｌｌ３の４つの下り単位バンドが設定される場合について説明する。また、ＰＣｅｌｌおよびＳＣｅｌｌ１ではＰＵＣＣＨ送信セル情報Ｘが通知されず、ＳＣｅｌｌ２およびＳＣｅｌｌ３でＰＵＣＣＨ送信セル情報Ｘが通知される。つまり、本実施の形態では、端末２００に対して設定された下り単位バンド（セル）は、「ＰＵＣＣＨ送信セル情報Ｘを通知しないセル」（ＰＣｅｌｌを含む）と、「ＰＵＣＣＨ送信セル情報Ｘを通知するセル」と、に分けられる。また、ＰＵＣＣＨ送信セルの候補がＰＣｅｌｌおよびＳＣｅｌｌ２の２つである場合について説明する。
【０１７７】
また、例えば、ＰＵＣＣＨ送信セル情報Ｘにおいて、Ｘ＝０がＰＣｅｌｌを指示し、Ｘ＝１〜３がＳＣｅｌｌ１〜ＳＣｅｌｌ３をそれぞれ指示する。つまり、ＰＵＣＣＨ送信セル情報Ｘは２ビットの情報である。ただし、ＰＵＣＣＨ送信セル情報Ｘが通知されないセル（ここではＰＣｅｌｌおよびＳＣｅｌｌ１）では、ＰＵＣＣＨ送信セルの候補は常に１つだけである（例えばＰＣｅｌｌ）。そこで、ＰＵＣＣＨ送信セルの候補を予め設定して、Ｘを表す情報ビット数を減らしてもよい。例えば、ＰＵＣＣＨ送信セルの候補が、ＰＣｅｌｌおよびＳＣｅｌｌ２の場合、Ｘ＝０がＰＣｅｌｌを指示し、Ｘ＝１がＳＣｅｌｌ２を指示することで、ＰＵＣＣＨ送信セル情報Ｘを１ビットの情報としてもよい。
【０１７８】
また、少なくともＰＵＣＣＨ送信セル情報Ｘを通知しないセル（ＰＣｅｌｌまたはＳＣｅｌｌ１）のＰＤＳＣＨが割り当てられる場合には、ＰＣｅｌｌをＰＵＣＣＨ送信セルとする。一方、ＰＵＣＣＨ送信セル情報Ｘを通知しないセルのＰＤＳＣＨ割当が無く、ＰＵＣＣＨ送信セル情報Ｘを通知するセル（ＳＣｅｌｌ２またはＳＣｅｌｌ３）のＰＤＳＣＨが割り当てられる場合には、ＳＣｅｌｌ２をＰＵＣＣＨ送信セルとする。
【０１７９】
具体的には、基地局１００は、ＰＵＣＣＨ送信セル情報Ｘを通知しないセル（ＰＣｅｌｌまたはＳＣｅｌｌ１）のＰＤＳＣＨのみ割当時、ＰＣｅｌｌでのＰＵＣＣＨ受信を期待する。一方、端末２００は、ＰＵＣＣＨ送信セル情報Ｘを通知しないセルのＰＤＳＣＨ割当のみを受信した場合、ＰＣｅｌｌのＰＵＣＣＨでＡＣＫ／ＮＡＣＫを送信する。
【０１８０】
基地局１００は、ＰＵＣＣＨ送信セル情報Ｘを通知するセル（ＳＣｅｌｌ２またはＳＣｅｌｌ３）のＰＤＳＣＨのみ割当時、当該セルのＰＤＳＣＨを指示するＰＤＣＣＨ（DL assignment）において、ＰＵＣＣＨ送信セル情報Ｘを通知する。ここで、ＰＵＣＣＨ送信セル情報Ｘは、ＳＣｅｌｌ２を示す。また、基地局１００は、ＰＵＣＣＨ送信セル情報Ｘで指示したセルでのＰＵＣＣＨ受信を期待する。一方、端末２００は、ＰＵＣＣＨ送信セル情報Ｘを通知するセル（ＳＣｅｌｌ２またはＳＣｅｌｌ３）のＰＤＳＣＨ割当のみを受信した場合、ＰＵＣＣＨ送信セル情報Ｘも受信する。そして、端末２００は、ＰＵＣＣＨ送信セル情報Ｘに示されたＳＣｅｌｌ２を、ＰＵＣＣＨ送信セルとして特定する。つまり、端末２００は、ＰＵＣＣＨ送信セル情報Ｘの指示に従って、ＡＣＫ／ＮＡＣＫを、ＳＣｅｌｌ２のＰＵＣＣＨで送信する。
【０１８１】
基地局１００は、ＰＵＣＣＨ送信セル情報Ｘを通知しないセルと、ＰＵＣＣＨ送信セル情報Ｘを通知するセルとで同時にＰＤＳＣＨ割当時、ＰＵＣＣＨ送信セル情報Ｘを通知するセルのＰＤＳＣＨを指示するＰＤＣＣＨ（DL assignment）において、ＰＵＣＣＨ送信セル情報Ｘを通知する。ここで、ＰＵＣＣＨ送信セル情報Ｘは、常にＰＣｅｌｌを示す。また、基地局１００は、ＰＣｅｌｌでのＰＵＣＣＨ受信を期待する。一方、端末２００は、少なくとも１つの、ＰＵＣＣＨ送信セル情報Ｘを通知するセルのＰＤＳＣＨを指示するＰＤＣＣＨ（DL assignment）の受信に成功した場合には、ＰＵＣＣＨ送信セル情報Ｘも受信する。そして、端末２００は、ＰＵＣＣＨ送信セル情報ＸがＰＣｅｌｌを指示していることを特定する。そこで、端末２００は、ＰＵＣＣＨ送信セル情報Ｘの指示に従って、受信したＰＤＳＣＨに対するＡＣＫ／ＮＡＣＫを、ＰＣｅｌｌのＰＵＣＣＨで送信する。なお、端末２００は、ＰＵＣＣＨ送信セル情報Ｘを通知しないセルのＰＤＳＣＨを指示するＰＤＣＣＨの受信のみに成功した場合、基地局１００がＰＵＣＣＨ送信セル情報Ｘを通知しないセルのＰＤＳＣＨのみを割り当てた場合と同様にして、ＰＤＳＣＨに対するＡＣＫ／ＮＡＣＫを、ＰＣｅｌｌのＰＵＣＣＨで送信する。
【０１８２】
このように、端末２００に設定された複数の単位バンドのうち、ＰＣｅｌｌと、複数のＳＣｅｌｌのうちのＳＣｅｌｌ２とが、ＰＵＣＣＨ送信セルとして予め設定される。また、ＰＵＣＣＨ送信セル情報Ｘは、ＳＣｅｌｌ２を含む所定数のＳＣｅｌｌ（ＳＣｅｌｌ２およびＳＣｅｌｌ３）で送信される。また、上記所定数のＳＣｅｌｌ（ＰＵＣＣＨ送信セル情報Ｘを通知するセル）の少なくとも１つの単位バンドのＰＤＳＣＨのみが割り当てられる場合、ＰＵＣＣＨ送信セル情報Ｘに示される単位バンドは、ＳＣｅｌｌ２である。
【０１８３】
つまり、ＰＵＣＣＨ送信セル情報Ｘを通知しないセルのみでＰＤＳＣＨ割当時には、ＰＵＣＣＨ送信セル情報Ｘを通知するＳＣｅｌｌ２のＰＵＣＣＨを用いてＡＣＫ／ＮＡＣＫが送信される。一方、ＰＵＣＣＨ送信セル情報Ｘを通知しないセルと、ＰＵＣＣＨ送信セル情報Ｘを通知するセルとで同時にＰＤＳＣＨ割当時には、常に、ＰＵＣＣＨ送信セル情報Ｘを通知しないＰＣｅｌｌのＰＵＣＣＨを用いてＡＣＫ／ＮＡＣＫが送信される。
【０１８４】
例えば、ＰＵＣＣＨ送信セル情報Ｘを通知しないセルと、ＰＵＣＣＨ送信セル情報Ｘを通知するセルとで同時にＰＤＳＣＨ割当を行ったにもかかわらず、端末２００がＰＵＣＣＨ送信セル情報Ｘを通知しないセルのＰＤＳＣＨを指示するＰＤＣＣＨの受信に失敗したとする。この場合でも、端末２００は、ＰＵＣＣＨ送信セル情報Ｘを通知するセルのＰＤＣＣＨに含まれるＰＵＣＣＨ送信セル情報Ｘに基づいて、ＰＵＣＣＨ送信セルがＰＣｅｌｌであることを特定することができる。
【０１８５】
これにより、基地局１００は、端末２００におけるＰＤＣＣＨの受信失敗に備えて、複数の上り単位バンド（ＰＣｅｌｌおよびＳＣｅｌｌ２）でＰＵＣＣＨの検出を行う必要が無くなる。つまり、基地局１００は、上述したように端末２００に対する下り単位バンドのＰＤＳＣＨ割当に応じて、ＰＵＣＣＨ受信を期待する単一の上り単位バンドのみでＰＵＣＣＨの検出を行えばよい。こうすることで、基地局１００におけるＰＵＣＣＨの検出精度の劣化を抑えることができる。
【０１８６】
さらに、上述したように、ＰＵＣＣＨ送信セル情報Ｘを通知しないセルとＰＵＣＣＨ送信セル情報Ｘを通知するセルとで同時にＰＤＳＣＨ割当時には、常に、ＰＵＣＣＨ送信セル情報Ｘを通知しないＰＣｅｌｌにおいてＡＣＫ／ＮＡＣＫ送信（ＰＵＣＣＨ送信）が行われる。一方、ＰＵＣＣＨ送信セル情報Ｘを通知するセルのみＰＤＳＣＨ割当時には、例えば、ＳＣｅｌｌ２においてＰＵＣＣＨ送信が行われる。
【０１８７】
このことから、ＰＣｅｌｌのＰＵＣＣＨでは、最大で端末２００に設定された下り単位バンド数（４つ）分のＡＣＫ／ＮＡＣＫが送信され、ＳＣｅｌｌ２のＰＵＣＣＨでは、最大でＰＵＣＣＨ送信セル情報Ｘを通知する下り単位数（２つ）分のＡＣＫ／ＮＡＣＫが送信される。
【０１８８】
すなわち、ＳＣｅｌｌ２のＰＵＣＣＨでは、端末２００に設定された下り単位バンド数（４つ）分のＡＣＫ／ＮＡＣＫ送信を想定する必要がなく、端末２００に設定された下り単位バンドの総数未満の下り単位バンド数（２つ）分に最適化されたＡＣＫ／ＮＡＣＫ送信を行えばよい。
【０１８９】
一般に、４セル分のＡＣＫ／ＮＡＣＫのうち、２セル分のＡＣＫ／ＮＡＣＫを例えば常にＮＡＣＫに固定して、実質的に２セル分のＡＣＫ／ＮＡＣＫをＰＵＣＣＨリソースに多重して送信する場合と、２セル分のＡＣＫ／ＮＡＣＫのみをＰＵＣＣＨリソースに多重して送信する場合とでは、後者の方が、基地局１００での所要受信品質を満足するためのＰＵＣＣＨの所要平均ＳＮＲを低減することができる。つまり、より少ない下り単位バンド数に最適化されたＡＣＫ／ＮＡＣＫ送信を行う方が、基地局１００での所要受信品質を満足するためのＰＵＣＣＨの所要平均ＳＮＲを低減することができる。この下り単位バンド数に応じてＡＣＫ／ＮＡＣＫ送信方法を最適化することにより得られる効果は、距離が近いピコｅＮＢへＰＵＣＣＨ送信を切り替えることに起因する送信電力低減および干渉低減とは異なる、本発明における格別の効果である。
【０１９０】
このように、ＰＵＣＣＨ送信セル情報Ｘは、実施の形態１と同様、ＰＵＣＣＨ送信セル（上り単位バンド）を指示すると同時に、当該セルにおいて、最大何個の下り単位バンドのＰＤＳＣＨに対する誤り検出結果を通知するかを指示する。つまり、ＰＵＣＣＨ送信セル情報Ｘは、ＡＣＫ／ＮＡＣＫ送信方法も指示する。
【０１９１】
図１３および図１４を援用して、PUCCH format 3設定時におけるＡＣＫ／ＮＡＣＫ送信方法の切替の一例について説明する。なお、ＣＩＦ（Cross Indicator Field）設定時については実施の形態１（図１１および図１２）とほぼ同様であるため、ここでは説明を省略する。
【０１９２】
＜ＰＣｅｌｌのＰＤＳＣＨ割当時＞
基地局１００は、ＰＣｅｌｌのＰＤＳＣＨ割当時、当該ＰＣｅｌｌのＰＤＳＣＨを指示するＰＤＣＣＨでは、ＴＰＣフィールド（２ビット）をＰＵＣＣＨのＴＰＣコマンドとする（例えば、図１３に示す「ＰＣｅｌｌのみ割当」または「ＰＣｅｌｌとＳＣｅｌｌ２割当」）。また、端末２００は、ＡＣＫ／ＮＡＣＫの送信リソースとして、当該ＰＤＣＣＨが占有する先頭ＣＣＥインデックスｎＣＣＥに対応付けられたＰＣｅｌｌ上のＰＵＣＣＨリソース（図１４ではPUCCH format 1bリソース）を特定する。
【０１９３】
また、ＰＣｅｌｌのＰＤＳＣＨのみ割当時、つまり、全てのＳＣｅｌｌのＰＤＳＣＨ割当が無い場合、端末２００は、ＰＣｅｌｌのＰＤＳＣＨに対するＡＣＫ／ＮＡＣＫを、先頭ＣＣＥインデックスｎＣＣＥに対応付けられたＰＣｅｌｌ上のＰＵＣＣＨリソースで送信する。この際、ＰＣｅｌｌのＰＤＳＣＨを指示するＰＤＣＣＨがｎｏｎ−ＭＩＭＯを指示する場合（ＡＣＫ／ＮＡＣＫのビット数が１ビットの場合）、ＡＣＫ／ＮＡＣＫはＢＰＳＫマッピングされる。また、ＰＣｅｌｌのＰＤＳＣＨを指示するＰＤＣＣＨがＭＩＭＯを指示する場合（ＡＣＫ／ＮＡＣＫのビット数が２ビットの場合）、ＡＣＫ／ＮＡＣＫはＱＰＳＫマッピングされる。これにより、ＬＴＥ  ｆａｌｌｂａｃｋをサポートできる。
【０１９４】
＜ＳＣｅｌｌ１のＰＤＳＣＨのみ割当時＞
基地局１００は、ＰＣｅｌｌ以外のＰＵＣＣＨ送信セル情報Ｘを通知しないセル（ＳＣｅｌｌ１）のＰＤＳＣＨを指示するＰＤＣＣＨでは、ＴＰＣフィールド（２ビット）をＡＲＩとする。端末２００は、予め設定されたＰＣｅｌｌ上の４つのexplicitリソースのうちいずれか１つを、通知されるＡＲＩに従って選択する（図１４では、PUCCH format 3リソース）。
【０１９５】
＜ＰＣｅｌｌとＳＣｅｌｌ２のＰＤＳＣＨ割当時＞
基地局１００は、ＰＣｅｌｌと、ＰＵＣＣＨ送信セルを通知するＳＣｅｌｌ２のＰＤＳＣＨ割当時、ＰＵＣＣＨ送信セル情報Ｘを通知するセル（ＳＣｅｌｌ２）のＰＤＳＣＨを指示するＰＤＣＣＨにおいて、ＰＵＣＣＨ送信セル情報ＸとしてＰＣｅｌｌを指示する。この場合、基地局１００は、当該ＰＤＣＣＨにおけるＴＰＣフィールド（２ビット）をＡＲＩとする。端末２００は、予め設定されたＰＣｅｌｌ上の４つのexplicitリソースのうちいずれか１つを、通知されるＡＲＩに従って選択する（図１４では、PUCCH format 3リソース）。なお、ＰＣｅｌｌと、ＰＵＣＣＨ送信セルを通知するＳＣｅｌｌ３のＰＤＳＣＨ割当時についても同様である。
【０１９６】
上述したように、ＰＣｅｌｌのＰＵＣＣＨでＡＣＫ／ＮＡＣＫが送信される場合には、最大で端末２００に設定された全てのセル（下り単位バンド）のＰＤＳＣＨに対するＡＣＫ／ＮＡＣＫが送信されることが想定される。このため、端末２００は、少なくともＰＵＣＣＨ送信セル情報Ｘを通知しないセルのＰＤＳＣＨを指示するＰＤＣＣＨを検出した場合、または、ＰＵＣＣＨ送信セル情報ＸがＰＣｅｌｌの場合、当該端末２００に対して設定された下り単位バンドの個数に応じて最適化されたＡＣＫ／ＮＡＣＫ送信方法を適用する。例えば、端末２００に対して設定された下り単位バンド数を４とした場合、PUCCH format 3が用いられる。
【０１９７】
＜ＳＣｅｌｌ２のＰＤＳＣＨのみ割当時＞
基地局１００は、ＳＣｅｌｌ２のＰＤＳＣＨを指示するＰＤＣＣＨにおいて、ＰＵＣＣＨ送信セル情報ＸとしてＳＣｅｌｌ２を指示する。この場合、基地局１００は、当該ＰＤＣＣＨにおけるＴＰＣフィールド（２ビット）をＰＵＣＣＨのＴＰＣコマンドとする。端末２００は、ＳＣｅｌｌ２のＰＤＳＣＨに対するＡＣＫ／ＮＡＣＫを、ＳＣｅｌｌ２のＰＤＳＣＨを指示するＰＤＣＣＨが占有する先頭ＣＣＥインデックスｎＣＣＥ’に対応づけられたＳＣｅｌｌ上のＰＵＣＣＨリソース（図１４では、PUCCH format 1bリソース）で送信する。この際、ＳＣｅｌｌ２のＰＤＳＣＨを指示するＰＤＣＣＨがｎｏｎ−ＭＩＭＯを指示する場合（ＡＣＫ／ＮＡＣＫのビット数が１の場合）、ＡＣＫ／ＮＡＣＫはＢＰＳＫマッピングされる。また、ＳＣｅｌｌ２のＰＤＳＣＨを指示するＰＤＣＣＨがＭＩＭＯを指示する場合（ＡＣＫ／ＮＡＣＫのビット数が２の場合）、ＡＣＫ／ＮＡＣＫはＱＰＳＫマッピングされる。
【０１９８】
＜ＳＣｅｌｌ３のＰＤＳＣＨのみ割当時＞
基地局１００は、ＳＣｅｌｌ２（ＰＵＣＣＨ送信セルの候補）以外のＰＵＣＣＨ送信セル情報Ｘを通知するセル（ＳＣｅｌｌ３）のＰＤＳＣＨを指示するＰＤＣＣＨにおいて、ＰＵＣＣＨ送信セル情報ＸとしてＳＣｅｌｌ２を指示する。この際、基地局１００は、当該ＰＤＣＣＨにおけるＴＰＣフィールド（２ビット）をＡＲＩとする。端末２００は、予め設定されたＳＣｅｌｌ上２の４つのexplicitリソースのうちいずれか１つを、通知されるＡＲＩに従って選択する（図１４では、PUCCH format 3リソース）。
【０１９９】
上述したように、基地局１００は、ＰＵＣＣＨ送信セル情報Ｘを通知するセルのＰＤＳＣＨのみ割当時には、各セルのＰＤＣＣＨで送信されるＰＵＣＣＨ送信セル情報ＸをＳＣｅｌｌ２に設定する。よって、ＳＣｅｌｌ２のＰＵＣＣＨでＡＣＫ／ＮＡＣＫが送信される場合には、最大でＰＵＣＣＨ送信セル情報Ｘを通知する全セルのＰＤＳＣＨに対するＡＣＫ／ＮＡＣＫを送信することが想定される。このため、端末２００は、ＰＵＣＣＨ送信セル情報ＸがＳＣｅｌｌの場合、ＰＵＣＣＨ送信セル情報Ｘを通知するセルの数に応じて最適化されたＡＣＫ／ＮＡＣＫ送信方法を適用する。例えば、ＰＵＣＣＨ送信セル情報Ｘを通知する下り単位バンド数を２とした場合、PUCCH format 3が用いられる。
【０２００】
以上、図１３および図１４を援用して、PUCCH format 3設定時におけるＡＣＫ／ＮＡＣＫ送信方法の切替の一例について説明した。
【０２０１】
このように、ＰＵＣＣＨ送信セル情報Ｘは、実施の形態１と同様、ＰＵＣＣＨ送信セルを指示するとともに、ＡＣＫ／ＮＡＣＫ送信方法を指示する。こうすることで、実施の形態１と同様、基地局１００での所要受信品質を満足するためのＰＵＣＣＨの所要平均ＳＮＲを低減することができる。さらに、ＰＵＣＣＨ送信セル情報Ｘは、ＴＰＣフィールド（２ビット）がＴＰＣコマンドまたはＡＲＩのどちらの情報であるかを指示するということもできる。
【０２０２】
こうすることで、端末２００に設定された下り単位バンド数が２つ以上５つ以下である場合、かつ、ＰＵＣＣＨ送信セルの候補が２つある場合でも、実施の形態１と同様、基地局１００におけるＰＵＣＣＨの検出精度の劣化を抑えることができる。さらに、端末２００は、当該端末２００に対するＰＤＳＣＨが割り当てられた下り単位バンド数を特定することにより、最適なＡＣＫ／ＮＡＣＫ送信方法を用いてＡＣＫ／ＮＡＣＫを送信することができるので、基地局１００での所要受信品質を満足するためのＰＵＣＣＨの所要平均ＳＮＲを低減することができる。
【０２０３】
なお、本実施の形態において、ＰＣｅｌｌでのＡＣＫ／ＮＡＣＫ送信方法として、PUCCH format 3が設定されている場合でも、ＳＣｅｌｌ２では最大２セル分のＡＣＫ／ＮＡＣＫしか送信されないのであれば、図１５に示すように、ＳＣｅｌｌ２のＡＣＫ／ＮＡＣＫ送信方法として、Channel Selectionなど、ＰＣｅｌｌとは異なるＡＣＫ／ＮＡＣＫ送信方法を適用してもよい。
【０２０４】
また、本実施の形態では、図１３、図１４または図１５において、ＳＣｅｌｌ上のＰＵＣＣＨリソースが、ｎＣＣＥ’（およびｎＣＣＥ’＋１）に対応付けられる場合について説明したが、このリソース通知方法に限定するものではない。例えば、端末２００は、予め設定されたＳＣｅｌｌ上の４つのexplicitリソースのうちいずれか１つをＡＲＩに従って選択してもよい。または、ＣＩＦ非設定時またはＣＩＦ設定時において、端末２００に対するＡＲＩの通知が無く、端末２００は、常に予め設定された１つのexplicitリソースのみを使うとしてもよい。
【０２０５】
また、本実施の形態では、ＰＣｅｌｌおよびＳＣｅｌｌ１においてＰＵＣＣＨ送信セル情報Ｘを通知せず、ＳＣｅｌｌ２およびＳＣｅｌｌ３においてＰＵＣＣＨ送信セル情報Ｘを通知する場合について説明したが、これに限定するものではない。ＰＣｅｌｌでＰＵＣＣＨ送信セル情報Ｘを通知してもよい。また、全てのセルでＰＵＣＣＨ送信セル情報Ｘを通知してもよい。
【０２０６】
また、本実施の形態では、ＰＵＣＣＨ送信セル情報Ｘを通知するセルのＰＤＳＣＨのみ割当時に、ＰＵＣＣＨ送信セル情報ＸがＳＣｅｌｌ２を示す場合について説明したが、これに限定するものではない。例えば、ＰＵＣＣＨ送信セル情報Ｘを通知するセルのＰＤＳＣＨのみ割当時に、ＰＵＣＣＨ送信セル情報ＸがＰＣｅｌｌを示し、ＰＣｅｌｌ上のＰＵＣＣＨでＡＣＫ／ＮＡＣＫが送信されてもよい。
【０２０７】
（実施の形態３）
本実施の形態では、端末に設定された下り単位バンド数が３つ以上５つ以下である場合（ＰＣｅｌｌ，ＳＣｅｌｌ１，ＳＣｅｌｌ２，…）、かつ、ＰＵＣＣＨ送信セルの候補が３つ以上、端末に設定された下り単位バンド数以下である場合について説明する。
【０２０８】
なお、本実施の形態に係る基地局及び端末は、実施の形態１に係る基地局１００及び端末２００と基本構成が共通するので、図８，９を援用して説明する。
【０２０９】
基地局１００は、端末２００に対して、どのＳＣｅｌｌでＰＵＣＣＨ送信セル情報Ｘを通知するかを予め設定する。また、基地局１００は、ＰＣｅｌｌではＰＵＣＣＨ送信セル情報Ｘを通知しない。
【０２１０】
以下では、端末２００に対して、ＰＣｅｌｌおよびＳＣｅｌｌ１〜ＳＣｅｌｌ４の５つの下り単位バンドが設定される場合について説明する。また、ＰＣｅｌｌおよびＳＣｅｌｌ１ではＰＵＣＣＨ送信セル情報Ｘが通知されず、ＳＣｅｌｌ２〜ＳＣｅｌｌ４でＰＵＣＣＨ送信セル情報Ｘが通知される。また、ＰＵＣＣＨ送信セルの候補がＰＣｅｌｌ、ＳＣｅｌｌ２およびＳＣｅｌｌ４である場合について説明する。
【０２１１】
また、例えば、ＰＵＣＣＨ送信セル情報Ｘにおいて、Ｘ＝０がＰＣｅｌｌを指示し、Ｘ＝１〜４がＳＣｅｌｌ１〜ＳＣｅｌｌ４をそれぞれ指示する。つまり、ＰＵＣＣＨ送信セル情報Ｘは３ビットの情報である。ただし、ＰＵＣＣＨ送信セル情報Ｘが通知されないセル（ここではＰＣｅｌｌおよびＳＣｅｌｌ１）では、ＰＵＣＣＨ送信セルの候補は常に１つだけである（例えばＰＣｅｌｌ）。そこで、ＰＵＣＣＨ送信セルの候補を予め設定して、Ｘを表す情報ビット数を減らしてもよい。例えば、ＰＵＣＣＨ送信セルの候補が、ＰＣｅｌｌ、ＳＣｅｌｌ２およびＳＣｅｌｌ４の３つの場合、Ｘ＝０がＰＣｅｌｌを指示し、Ｘ＝１がＳＣｅｌｌ２を指示し、Ｘ＝２がＳＣｅｌｌ４を指示することで、ＰＵＣＣＨ送信セル情報Ｘを２ビットの情報としてもよい。
【０２１２】
また、本実施の形態では、図１６に示すように、ＰＵＣＣＨ送信セルの候補数（ここでは３つ）と同数のセルグループが構成されるよう、端末２００に設定される下り単位バンド（セル）がグループ化される。ただし、各セルグループには、ＰＵＣＣＨ送信セルの候補が少なくとも１つずつ含まれるように設定される。例えば、図１６では、ＰＵＣＣＨ送信セル情報Ｘを通知しないセル（ＰＣｅｌｌおよびＳＣｅｌｌ１）のグループをセルグループＣ１とし、ＰＵＣＣＨ送信セル情報Ｘを通知するセルのうち、ＳＣｅｌｌ２およびＳＣｅｌｌ３をセルグループＣ２とし、残りのＳＣｅｌｌ４をセルグループＣ３とする。
【０２１３】
なお、セルグループＣ１に属する下り単位バンドは、どのＳＣｅｌｌでＰＵＣＣＨ送信セル情報Ｘが通知されるかの設定によって特定できるため、セルグループＣ１を設定せずに、セルグループＣ２およびＣ３に属する下り単位バンドのみを設定してもよい。
【０２１４】
次いで、本実施の形態における基地局１００および端末２００の動作を、図１６を援用して説明する。
【０２１５】
＜セルグループＣ１に属するセルのＰＤＳＣＨ割当時＞
基地局１００は、少なくとも、ＰＵＣＣＨ送信セル情報Ｘを通知しないセル（セルグループＣ１に属するセル）のＰＤＳＣＨ割当を行う場合、ＰＵＣＣＨ送信セル情報Ｘを通知するセル（セルグループＣ２またはＣ３に属するセル）においてＰＵＣＣＨ送信セル情報Ｘを通知する。ここで、ＰＵＣＣＨ送信セル情報ＸはＰＣｅｌｌを示す。
【０２１６】
一方、端末２００は、ＰＵＣＣＨ送信セル情報Ｘを通知しないセル（セルグループＣ１に属するセル）のＰＤＳＣＨを指示するＰＤＣＣＨを検出した場合、または、ＰＵＣＣＨ送信セル情報Ｘを通知するセル（セルグループＣ２またはＣ３に属するセル）のＰＤＳＣＨを指示するＰＤＣＣＨを検出し、ＸがＰＣｅｌｌを示す場合、受信したＰＤＳＣＨに対するＡＣＫ／ＮＡＣＫを、ＰＣｅｌｌのＰＵＣＣＨで送信する。
【０２１７】
つまり、端末２００は、セルグループＣ１に属するセルのＰＤＳＣＨが割り当てられたＰＤＣＣＨを検出した場合、または、ＰＵＣＣＨ送信セル情報ＸがＰＣｅｌｌの場合には、当該端末２００に対して最大５セルにおいてＰＤＳＣＨが割り当てられたと判断する。そこで、端末２００は、当該端末２００に対して設定された下り単位バンド数である５セルに最適化されたＡＣＫ／ＮＡＣＫ送信方法を適用する。
【０２１８】
＜セルグループＣ１に属するセルのＰＤＳＣＨ割当を行わず、かつ、セルグループＣ２に属するセルのＰＤＳＣＨ割当時＞
基地局１００は、ＰＵＣＣＨ送信セル情報Ｘを通知しないセル（セルグループＣ１に属するセル）のＰＤＳＣＨ割当を行わず、かつ、少なくとも、セルグループＣ２に属するセルのＰＤＳＣＨ割当を行う場合、ＰＵＣＣＨ送信セル情報Ｘを通知するセル（セルグループＣ２またはＣ３に属するセル）においてＰＵＣＣＨ送信セル情報Ｘを通知する。ここで、ＰＵＣＣＨ送信セル情報ＸはＳＣｅｌｌ２を示す。
【０２１９】
一方、端末２００は、ＰＵＣＣＨ送信セル情報Ｘを通知するセル（セルグループＣ２またはＣ３に属するセル）のＰＤＳＣＨ割当を指示するＰＤＣＣＨを検出し、ＸがＳＣｅｌｌ２を示す場合、受信したＰＤＳＣＨに対するＡＣＫ／ＮＡＣＫを、ＳＣｅｌｌ２のＰＵＣＣＨで送信する。
【０２２０】
つまり、端末２００は、ＰＵＣＣＨ送信セル情報ＸがＳＣｅｌｌ２の場合には、当該端末２００に対して最大３セル（ＳＣｅｌｌ２〜ＳＣｅｌｌ４）においてＰＤＳＣＨが割り当てられたと判断する。そこで、端末２００は、セルグループＣ２およびＣ３に属する下り単位バンド数である３セルに最適化されたＡＣＫ／ＮＡＣＫ送信方法を適用する。
【０２２１】
＜セルグループＣ１及びＣ２に属するセルのＰＤＳＣＨ割当を行わず、かつ、セルグループＣ３に属するセルのＰＤＳＣＨ割当時＞
基地局１００は、セルグループＣ１およびＣ２に属するセルのＰＤＳＣＨ割当を行わず、かつ、セルグループＣ３に属するセルのＰＤＳＣＨ割当を行う場合、セルグループＣ３に属するＳＣｅｌｌ４においてＰＵＣＣＨ送信セル情報Ｘを通知する。ここで、ＰＵＣＣＨ送信セル情報ＸはＳＣｅｌｌ４を示す。
【０２２２】
一方、端末２００は、セルグループＣ３に属するセルのＰＤＳＣＨ割当を指示するＰＤＣＣＨを検出し、ＸがＳＣｅｌｌ４を示す場合、受信したＰＤＳＣＨに対するＡＣＫ／ＮＡＣＫを、ＳＣｅｌｌ４のＰＵＣＣＨで送信する。
【０２２３】
つまり、端末２００は、ＰＵＣＣＨ送信セル情報ＸがＳＣｅｌｌ４の場合には、当該端末２００に対して、最大１セル（ＳＣｅｌｌ４）においてＰＤＳＣＨが割り当てられたと判断する。そこで、端末２００は、セルグループＣ３に属するセル（下り単位バンド）数である１セルに最適化されたＡＣＫ／ＮＡＣＫ送信方法を適用する。
【０２２４】
上述したように、図１６では、少なくとも、セルグループＣ１に属するセルのＰＤＳＣＨが割り当てられる場合には、ＰＣｅｌｌをＰＵＣＣＨ送信セルとする（Ｘ＝ＰＣｅｌｌ）。一方、セルグループＣ１のＰＤＳＣＨ割当が無く、少なくとも、セルグループＣ２に属するセルのＰＤＳＣＨが割り当てられる場合には、ＳＣｅｌｌ２をＰＵＣＣＨ送信セルとする（Ｘ＝ＳＣｅｌｌ２）。また、セルグループＣ１、Ｃ２のＰＤＳＣＨ割当が無く、セルグループＣ３のＰＤＳＣＨのみが割り当てられた場合には、ＳＣｅｌｌ４をＰＵＣＣＨ送信セルとする（Ｘ＝ＳＣｅｌｌ４）。
【０２２５】
また、Ｘ＝ＰＣｅｌｌの場合、最大で、端末２００に対して設定された５セルのＰＤＳＣＨが割り当てられるので、端末２００は、５セルに最適化されたＡＣＫ／ＮＡＣＫ送信方法（例えばPUCCH format 3）を用いて最大５セル分のＡＣＫ／ＮＡＣＫを送信する。また、Ｘ＝ＳＣｅｌｌ２の場合、最大３セルのＰＤＳＣＨが割り当てられるので、端末２００は、３セルに最適化されたＡＣＫ／ＮＡＣＫ送信方法（例えばPUCCH format 3）を用いて最大３セル分のＡＣＫ／ＮＡＣＫを送信する。ここで、PUCCH format 3では、何個のセルの誤り検出結果を通知するのかに依らず、所定サイズのＡＣＫ／ＮＡＣＫが生成される。つまり、５ＣＣ分のＡＣＫ／ＮＡＣＫを生成する場合と比較して、３ＣＣ分のＡＣＫ／ＮＡＣＫを生成する場合の方が、符号化率をより低くすることができる。
【０２２６】
また、Ｘ＝ＳＣｅｌｌ４の場合、最大１セルのＰＤＳＣＨが割り当てられるので、端末２００は、１セルに最適化されたＡＣＫ／ＮＡＣＫ送信方法（例えばPUCCH format 1a/1b）を用いて最大１セル分のＡＣＫ／ＮＡＣＫを送信する。
【０２２７】
このようにして、端末２００は、ＰＵＣＣＨ送信セル情報Ｘに基づいて、端末２００に対してＰＤＳＣＨが割り当てられる下り単位バンドの最大数を特定することにより、その最大数の下り単位バンドに適したＡＣＫ／ＮＡＣＫ送信方法を用いることができる。こうすることで、実施の形態１と同様、基地局１００での所要受信品質を満足するためのＰＵＣＣＨの所要平均ＳＮＲを低減することができる。
【０２２８】
こうすることで、端末２００に設定された下り単位バンド数が３つ以上５つ以下である場合、かつ、ＰＵＣＣＨ送信セルの候補が３つ以上、端末２００に設定された下り単位バンド数以下である場合でも、実施の形態１と同様、基地局１００におけるＰＵＣＣＨの検出精度の劣化を抑えることができる。さらに、端末２００は、当該端末２００に対するＰＤＳＣＨが割り当てられた下り単位バンド数を特定することにより、最適なＡＣＫ／ＮＡＣＫ送信方法を用いてＡＣＫ／ＮＡＣＫを送信することができるので、基地局１００での所要受信品質を満足するためのＰＵＣＣＨの所要平均ＳＮＲを低減することができる。
【０２２９】
なお、本実施の形態では、ＰＣｅｌｌおよびＳＣｅｌｌ１においてＰＵＣＣＨ送信セル情報Ｘを通知せず、ＳＣｅｌｌ２、ＳＣｅｌｌ３およびＳＣｅｌｌ４においてＰＵＣＣＨ送信セル情報Ｘを通知する場合について説明したが、これに限定されるものではない。ＰＣｅｌｌでＰＵＣＣＨ送信セル情報Ｘを通知してもよい。また、全てのセルでＰＵＣＣＨ送信セル情報Ｘを通知してもよい。
【０２３０】
以上、本発明の各実施の形態について説明した。
【０２３１】
なお、上記実施の形態では、ＰＣｅｌｌとＳＣｅｌｌとでＰＤＳＣＨが同時に割り当てられた場合、当該ＰＤＳＣＨに対するＡＣＫ／ＮＡＣＫが常にＰＣｅｌｌで送信される場合について説明した。しかし、これに限らず、ＰＣｅｌｌとＳＣｅｌｌとでＰＤＳＣＨが同時に割り当てられる場合に、端末２００は、当該ＰＤＳＣＨに対するＡＣＫ／ＮＡＣＫをＳＣｅｌｌで送信してもよい。この場合、例えば、基地局１００は、ＰＣｅｌｌのＰＤＳＣＨのみ割当時、ＰＵＣＣＨ送信セル情報ＸとしてＰＣｅｌｌを指示し、ＰＣｅｌｌおよびＳＣｅｌｌの双方でＰＤＳＣＨを同時割当時、ＰＵＣＣＨ送信セル情報ＸとしてＳＣｅｌｌを指示すればよい。また、少なくとも、ＰＣｅｌｌでＰＵＣＣＨ送信セル情報Ｘが通知されればよい。この場合、上記実施の形態と比較して、ＰＵＣＣＨをＳＣｅｌｌで通知する機会が増え、マクロセル（ＰＣｅｌｌ）におけるＰＵＣＣＨオーバーヘッドを、ピコセル（ＳＣｅｌｌ）にオフロード（offload）する効果をより高めることができる。
【０２３２】
また、上記実施の形態の説明で用いた各機能ブロックは、コンピュータがプログラムを実行することで機能するソフトウェア、あるいは、ソフトウェアとハードウェアとの連携により実現することも可能である。
【０２３３】
また、上記実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０２３４】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０２３５】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【０２３６】
以上、本開示の端末装置は、複数の単位バンドを用いて基地局装置と通信する端末装置であって、前記複数の単位バンドでそれぞれ送信される下りデータの誤り検出結果を用いて応答信号を生成する生成手段と、前記応答信号の送信に用いる単位バンドを指示する指示情報に示される単位バンドを用いて、前記応答信号を送信する制御手段と、を有し、前記複数の単位バンドには、第１の単位バンド、および、前記第１の単位バンドと異なる第２の単位バンドが含まれ、前記第１の単位バンドは、前記第１の単位バンドおよび前記第２の単位バンドの双方に下りデータが同時に割り当てられる場合に前記応答信号の送信に用いられる単位バンドであって、前記指示情報は、少なくとも前記第２の単位バンドの下りデータが割り当てられる場合に、前記第２の単位バンドを用いて前記基地局装置から通知され、前記第１の単位バンドおよび前記第２の単位バンドの双方に下りデータが同時に割り当てられる場合、前記指示情報に示される単位バンドは、前記第１の単位バンドである。
【０２３７】
また、本開示の端末装置では、前記第２の単位バンドの下りデータのみが割り当てられる場合、前記指示情報に示される単位バンドは、前記第２の単位バンドである。
【０２３８】
また、本開示の端末装置では、前記制御手段は、前記指示情報が前記第１の単位バンドを示す場合、第１の送信方法を用いて前記応答信号を送信し、前記指示情報が前記第２の単位バンドを示す場合、前記第１の送信方法とは異なる第２の送信方法を用いて前記応答信号を送信する。
【０２３９】
また、本開示の端末装置では、前記生成手段は、前記指示情報が前記第２の単位バンドを示す場合、前記複数の単位バンドの総数未満の単位バンドの下りデータに対する誤り検出結果を用いて前記応答信号を生成する。
【０２４０】
また、本開示の端末装置では、前記生成手段は、前記指示情報が前記第１の単位バンドを示す場合、前記第１の単位バンドおよび前記第２の単位バンドの双方の下りデータに対する応答信号を生成し、前記指示情報が前記第２の単位バンドを示す場合、前記第２の単位バンドの下りデータのみに対する応答信号を生成する。
【０２４１】
また、本開示の端末装置では、前記第２の単位バンドの下りデータのみが割り当てられる場合、前記指示情報に示される単位バンドは、前記第１の単位バンドまたは前記第２の単位バンドのいずれかである。
【０２４２】
また、本開示の端末装置では、前記制御手段は、少なくとも前記第１の単位バンドの下りデータに対する下り割当制御情報を受信した場合、前記第１の単位バンドで前記応答信号を送信し、前記第２の単位バンドの下りデータに対する下り割当制御情報のみを受信した場合、前記指示情報に示される単位バンドを用いて前記応答信号を送信する。
【０２４３】
また、本開示の端末装置では、前記複数の単位バンドのうち、前記第１の単位バンドと、複数の前記第２の単位バンドのうちの第３の単位バンドとが、前記応答信号の送信に用いられる単位バンドとして予め設定され、前記指示情報は、前記第３の単位バンドを含む所定数の前記第２の単位バンドで送信され、前記所定数の第２の単位バンドの少なくとも１つの単位バンドの下りデータのみが割り当てられる場合、前記指示情報に示される単位バンドは、前記第３の単位バンドである。
【０２４４】
また、本開示の端末装置では、前記制御手段は、前記指示情報に示される単位バンドが前記第１の単位バンドである場合、前記複数の単位バンドの個数に応じた送信方法を用いて前記応答信号を送信し、前記指示情報に示される単位バンドが前記第３の単位バンドである場合、前記所定数に応じた送信方法を用いて前記応答信号を送信する。
【０２４５】
また、本開示の基地局装置は、複数の単位バンドを用いて端末装置と通信する基地局装置であって、前記複数の単位バンドで下りデータをそれぞれ送信する送信手段と、下りデータに対する応答信号の送信に用いる単位バンドを指示する指示情報に示される単位バンドにおいて、前記応答信号を受信する受信手段と、を有し、前記複数の単位バンドには、第１の単位バンド、および、前記第１の単位バンド以外の第２の単位バンドが含まれ、前記第１の単位バンドは、前記第１の単位バンドおよび前記第２の単位バンドの双方に下りデータが同時に割り当てられる場合に前記応答信号の送信に用いられる単位バンドであって、前記指示情報は、少なくとも前記第２の単位バンドの下りデータが割り当てられる場合に、前記第２の単位バンドを用いて前記端末装置へ通知され、前記第１の単位バンドおよび前記第２の単位バンドの双方に下りデータが同時に割り当てられる場合、前記指示情報に示される単位バンドは、前記第１の単位バンドである。
【０２４６】
また、本開示の送信方法は、複数の単位バンドを用いて基地局装置と通信する端末装置における送信方法であって、前記複数の単位バンドでそれぞれ送信される下りデータの誤り検出結果を用いて応答信号を生成し、前記応答信号の送信に用いる単位バンドを指示する指示情報に示される単位バンドを用いて、前記応答信号を送信し、前記複数の単位バンドには、第１の単位バンド、および、前記第１の単位バンドと異なる第２の単位バンドが含まれ、前記第１の単位バンドは、前記第１の単位バンドおよび前記第２の単位バンドの双方に下りデータが同時に割り当てられる場合に前記応答信号の送信に用いられる単位バンドであって、前記指示情報は、少なくとも前記第２の単位バンドの下りデータが割り当てられる場合に、前記第２の単位バンドを用いて前記基地局装置から通知され、前記第１の単位バンドおよび前記第２の単位バンドの双方に下りデータが同時に割り当てられる場合、前記指示情報に示される単位バンドは、前記第１の単位バンドである。
【０２４７】
また、本開示の受信方法は、複数の単位バンドを用いて端末装置と通信する基地局装置における受信方法であって、前記複数の単位バンドで下りデータをそれぞれ送信する送信手段と、下りデータに対する応答信号の送信に用いる単位バンドを指示する指示情報に示される単位バンドにおいて、前記応答信号を受信する受信手段と、を有し、前記複数の単位バンドには、第１の単位バンド、および、前記第１の単位バンド以外の第２の単位バンドが含まれ、前記第１の単位バンドは、前記第１の単位バンドおよび前記第２の単位バンドの双方に下りデータが同時に割り当てられる場合に前記応答信号の送信に用いられる単位バンドであって、前記指示情報は、少なくとも前記第２の単位バンドの下りデータが割り当てられる場合に、前記第２の単位バンドを用いて前記端末装置へ送信され、前記第１の単位バンドおよび前記第２の単位バンドの双方に下りデータが同時に割り当てられる場合、前記指示情報に示される単位バンドは、前記第１の単位バンドである。
【０２４８】
２０１２年５月３１日出願の特願２０１２−１２４５６１の日本出願に含まれる明細書、図面および要約書の開示内容は、すべて本願に援用される。
【産業上の利用可能性】
【０２４９】
本発明は、移動通信システム等に有用である。
【符号の説明】
【０２５０】
１００  基地局
２００  端末
１０１，２０８  制御部
１０２  制御情報生成部
１０３，１０５  符号化部
１０４，１０７  変調部
１０６  データ送信制御部
１０８  マッピング部
１０９，２１８  ＩＦＦＴ部
１１０，２１９  ＣＰ付加部
１１１，２２２  無線送信部
１１２，２０１  無線受信部
１１３，２０２  ＣＰ除去部
１１４  ＰＵＣＣＨ抽出部
１１５  逆拡散部
１１６  系列制御部
１１７  相関処理部
１１８  Ａ／Ｎ判定部
１１９  束Ａ／Ｎ逆拡散部
１２０  ＩＤＦＴ部
１２１  束Ａ／Ｎ判定部
１２２  再送制御信号生成部
２０３  ＦＦＴ部
２０４  抽出部
２０５，２０９  復調部
２０６，２１０  復号部
２０７  判定部
２１１  ＣＲＣ部
２１２  応答信号生成部
２１３  符号化・変調部
２１４  １次拡散部
２１５  ２次拡散部
２１６  ＤＦＴ部
２１７  拡散部
２２０  時間多重部
２２１  選択部
【図１】
2013179540.tif 000003
【図２】
2013179540.tif 000004
【図３】
2013179540.tif 000005
【図４】
2013179540.tif 000006
【図５】
2013179540.tif 000007
【図６】
2013179540.tif 000008
【図７】
2013179540.tif 000009
【図８】
2013179540.tif 000010
【図９】
2013179540.tif 000011
【図１０】
2013179540.tif 000012
【図１１】
2013179540.tif 000013
【図１２】
2013179540.tif 000014
【図１３】
2013179540.tif 000015
【図１４】
2013179540.tif 000016
【図１５】
2013179540.tif 000017
【図１６】
2013179540.tif 000018
【国際調査報告】
2013179540.tif 000019
2013179540.tif 000020
2013179540.tif 000021